(57)【要約】【課題】タッチ検出の精度を高め、又は額縁領域を狭小化できるタッチ検出機能付き表示装置及び電子機器を提供する。【解決手段】タッチ検出機能付き表示装置は、表示領域の外側に位置する額縁領域に配設されるタッチ用配線と、タッチ用配線と接続する駆動電極を選択する選択スイッチと、を備える。そして、１つの駆動電極ＣＯＭＬを選択する駆動電極走査部は、複数の転送回路を額縁領域に備え、複数の転送回路のうち一部が選択スイッチへ出力する転送回路である。【選択図】図１７
2015102980.tif 000002
【特許請求の範囲】
【請求項１】
基板上に複数の画素電極がマトリックス状に配置された表示領域と、
前記画素電極と対向して設けられ、複数に分割された駆動電極と、
前記表示領域に画像を表示する画像表示機能を有する表示機能層と、
画像信号に基づいて、前記画素電極と前記駆動電極との間に表示用駆動電圧を印加して前記表示機能層の画像表示機能を発揮させるように画像表示制御を行う制御装置と、
前記駆動電極と対向して、前記駆動電極との間に静電容量を形成するタッチ検出電極と、
前記タッチ検出電極からの検出信号に基づき、近接する物体の位置を検出するタッチ検出部と、
前記表示領域の外側に位置する額縁領域に配設され、タッチ用駆動信号を前記駆動電極に供給するタッチ用配線と、
前記タッチ用配線と接続する前記駆動電極を選択する、選択スイッチと、を備え、
前記制御装置は、前記複数の駆動電極のうち前記タッチ用駆動信号を供給する駆動電極を選択する駆動電極走査部を備え、１つの前記駆動電極を選択する前記駆動走査部は、タッチ用駆動信号を前記駆動電極に供給するための複数の転送回路を前記額縁領域に備え、当該複数の転送回路のうち一部が前記選択スイッチを制御する転送回路である、タッチ検出機能付き表示装置。
【請求項２】
前記複数の転送回路は、前記タッチ用配線が延びる方向に並んで配置されている、請求項１又は２に記載のタッチ検出機能付き表示装置。
【請求項３】
前記複数の転送回路は、前記選択スイッチを制御する第１の転送回路と、前記第１の転送回路へ転送回路出力を供給する第２の転送回路とを備えている、請求項１又は２に記載のタッチ検出機能付き表示装置。
【請求項４】
前記画素電極を走査する表示用転送回路が前記額縁領域にあり、１つの駆動電極に重なり合う、画素電極を走査するための表示用転送回路よりも、当該１つの駆動電極に対して備えられる前記複数の転送回路の数が少ない、請求項１乃至３のいずれか１項に記載のタッチ検出機能付き表示装置。
【請求項５】
前記表示用駆動電圧を供給する表示用配線と、前記タッチ用駆動信号を供給する前記タッチ用配線とが並列に配置されている、請求項１乃至４のいずれか１項に記載のタッチ検出機能付き表示装置。
【請求項６】
前記表示用駆動電圧を供給する表示用配線と、前記表示用駆動電圧よりも電圧の高い一定電圧を供給する前記タッチ用配線とが並列に配置されている、請求項１乃至４のいずれか１項に記載のタッチ検出機能付き表示装置。
【請求項７】
前記制御装置は、時間をずらして前記表示用駆動電圧と前記タッチ用駆動信号とを同じ前記タッチ用配線に供給する、請求項１乃至４のいずれか１項に記載のタッチ検出機能付き表示装置。
【請求項８】
１つの前記駆動電極に対して、タッチ用駆動信号を前記駆動電極に供給するための複数の転送回路が前記額縁領域に備えられ、当該複数の転送回路のうち前記選択スイッチを制御する第１の転送回路と異なる第２の転送回路が空転送の転送回路出力を出力する、請求項１乃至７に記載のタッチ検出機能付き表示装置。
【請求項９】
タッチ検出の動作期間を識別する駆動電極選択信号のレベルの変化に応じて、前記タッチ用駆動信号が供給される駆動電極が選択される、請求項１乃至８に記載のタッチ検出機能付き表示装置。
【請求項１０】
タッチ検出の動作期間を識別する駆動電極選択信号を伝送する制御信号線が前記額縁領域に備えられ、当該制御信号線が前記複数の転送回路に接続されている、請求項１乃至９に記載のタッチ検出機能付き表示装置。
【請求項１１】
請求項１乃至１０のいずれか１項に記載のタッチ検出機能付き表示装置を備える電子機器。
【発明の詳細な説明】
【技術分野】
【０００１】
本発明は、外部近接物体を検出可能な表示装置に係り、特に静電容量の変化に基づいて外部から近接する外部近接物体を検出可能なタッチ検出機能付き表示装置及び電子機器に関する。
【背景技術】
【０００２】
近年、いわゆるタッチパネルと呼ばれる、外部近接物体を検出可能なタッチ検出装置が注目されている。タッチパネルは、液晶表示装置等の表示装置上に装着または一体化される、タッチ検出機能付き表示装置に用いられている。そして、タッチ検出機能付き表示装置は、表示装置に各種のボタン画像等を表示させることにより、タッチパネルを通常の機械式ボタンの代わりとして情報入力を可能としている。このようなタッチパネルを有する、タッチ検出機能付き表示装置は、キーボードやマウス、キーパッドのような入力装置を必要としないため、コンピュータのほか、携帯電話のような携帯情報端末などでも、使用が拡大する傾向にある。
【０００３】
タッチ検出装置の方式として、光学式、抵抗式、静電容量式などいくつかの方式が存在する。静電容量式のタッチ検出装置は、携帯端末などに用いて、比較的単純な構造をもち、かつ低消費電力が実現できる。例えば、特許文献１には、静電容量式のタッチパネルが記載されている。
【先行技術文献】
【特許文献】
【０００４】
【特許文献１】特開２０１２−２２１４８５号公報
【発明の概要】
【発明が解決しようとする課題】
【０００５】
ところで、タッチ検出機能付き表示装置では、表示機能とタッチ検出機能とが一体化されているため、例えば、タッチ検出の為の動作が、表示に影響を与える可能性がある。これに対し、特許文献１に記載のタッチ検出機能付き表示装置は、タッチ検出しても表示への影響を低減することができる。そして、特許文献１に記載のタッチ検出機能付き表示装置は、駆動電極に対して、直流駆動電圧ＶｃｏｍＤＣまたは交流駆動信号ＶｃｏｍＡＣを選択的に印加する駆動部を備える。このタッチ検出機能付き表示装置では、表示素子が表示駆動されるとともに、駆動電極に対して駆動信号が印加され、タッチ検出電極から、その駆動信号に対応した信号が出力される。このため、直流駆動電圧ＶｃｏｍＤＣ及び交流駆動信号ＶｃｏｍＡＣを駆動電極に、それぞれを供給する２つの配線を額縁領域に引き回す必要がある。
【０００６】
特許文献１に記載のタッチ検出機能付き表示装置において、駆動信号を供給する配線の抵抗は、駆動信号の波形の時定数に影響を与え、タッチ検出の精度に影響を与える可能性がある。このため、接続抵抗を低減するため、配線の幅を大きくする必要がある。しかしながら、配線の幅を大きくする場合、表示領域に寄与しない額縁領域が大きくなってしまう可能性がある。
【０００７】
本発明は、かかる問題点に鑑みてなされたもので、タッチ検出の精度を高め、又は額縁領域を狭小化できるタッチ検出機能付き表示装置及び電子機器を提供することにある。
【課題を解決するための手段】
【０００８】
本発明の一態様に係るタッチ検出機能付き表示装置は、基板上に複数の画素電極がマトリックス状に配置された表示領域と、前記画素電極と対向して設けられ、複数に分割された駆動電極と、前記表示領域に画像を表示する画像表示機能を有する表示機能層と、画像信号に基づいて、前記画素電極と前記駆動電極との間に表示用駆動電圧を印加して前記表示機能層の画像表示機能を発揮させるように画像表示制御を行う制御装置と、前記駆動電極と対向して、前記駆動電極との間に静電容量を形成するタッチ検出電極と、前記タッチ検出電極からの検出信号に基づき、近接する物体の位置を検出するタッチ検出部と、前記表示領域の外側に位置する額縁領域に配設され、タッチ用駆動信号を前記駆動電極に供給するタッチ用配線と、前記タッチ用配線と接続する前記駆動電極を選択する、選択スイッチと、を備え、前記制御装置は、前記複数の駆動電極のうち前記タッチ用駆動信号を供給する駆動電極を選択する駆動電極走査部を備え、１つの前記駆動電極を選択する前記駆動走査部は、タッチ用駆動信号を前記駆動電極に供給するための複数の転送回路を前記額縁領域に備え、当該複数の転送回路のうち一部が前記選択スイッチを制御する転送回路である。
【０００９】
望ましい一態様として、前記複数の転送回路は、前記タッチ用配線が延びる方向に並んで配置されていてもよい。
【００１０】
望ましい一態様として、前記複数の転送回路は、前記選択スイッチを制御する第１の転送回路と、前記第１の転送回路へ転送回路出力を供給する第２の転送回路とを備えていてもよい。
【００１１】
望ましい一態様として、前記画素電極を走査する表示用転送回路が前記額縁領域にあり、１つの駆動電極に重なり合う、画素電極を走査するための表示用転送回路よりも、当該１つの駆動電極に対して備えられる前記複数の転送回路の数が少なくてもよい。
【００１２】
望ましい一態様として、前記表示用駆動電圧を供給する表示用配線と、前記タッチ用駆動信号を供給する前記タッチ用配線とが並列に配置されていてもよい。
【００１３】
望ましい一態様として、前記表示用駆動電圧を供給する表示用配線と、前記表示用駆動電圧よりも電圧の高い一定電圧を供給する前記タッチ用配線とが並列に配置されていてもよい。
【００１４】
望ましい一態様として、前記制御装置は、時間をずらして前記表示用駆動電圧と前記タッチ用駆動信号とを同じ前記タッチ用配線に供給してもよい。
【００１５】
望ましい一態様として、１つの前記駆動電極に対して、タッチ用駆動信号を前記駆動電極に供給するための複数の転送回路が前記額縁領域に備えられ、当該複数の転送回路のうち前記選択スイッチを制御する第１の転送回路と異なる第２の転送回路が空転送の転送回路出力を出力する転送回路であってもよい。
【００１６】
望ましい一態様として、タッチ検出の動作期間を識別する駆動電極選択信号のレベルの変化に応じて、前記タッチ用駆動信号が供給される駆動電極が選択されていてもよい。
【００１７】
望ましい一態様として、タッチ検出の動作期間を識別する駆動電極選択信号を伝送する制御信号線が前記額縁領域に備えられ、当該制御信号線が前記複数の転送回路に接続されていてもよい。
【００１８】
望ましい一態様として、タッチ検出機能付き表示装置を備える電子機器であってもよい。
【図面の簡単な説明】
【００１９】
【図１】図１は、実施形態１に係るタッチ検出機能付き表示装置の一構成例を表すブロック図である。
【図２】図２は、静電容量型タッチ検出方式の基本原理を説明するため、指が接触または近接していない状態を表す説明図である。
【図３】図３は、図２に示す指が接触または近接していない状態の等価回路の例を示す説明図である。
【図４】図４は、静電容量型タッチ検出方式の基本原理を説明するため、指が接触または近接した状態を表す説明図である。
【図５】図５は、図４に示す指が接触または近接した状態の等価回路の例を示す説明図である。
【図６】図６は、駆動信号及びタッチ検出信号の波形の一例を表す図である。
【図７】図７は、実施形態１に係るタッチ検出機能付き表示装置を実装したモジュールの一例を示す図である。
【図８】図８は、実施形態１に係るタッチ検出機能付き表示デバイスの概略断面構造を表す断面図である。
【図９】図９は、実施形態１に係るタッチ検出機能付き表示装置の制御装置の一例を示す図である。
【図１０】図１０は、実施形態１に係るタッチ検出機能付き表示デバイスの画素配列を表す回路図である。
【図１１】図１１は、実施形態１に係るタッチ検出機能付き表示装置を実装したモジュールにおいて、ソースドライバと、画素信号線との関係を説明する模式図である。
【図１２】図１２は、実施形態１に係るタッチ検出機能付き表示デバイスの駆動電極及びタッチ検出電極の一構成例を表す斜視図である。
【図１３】図１３は、実施形態１に係るタッチ検出機能付き表示装置におけるタッチ検出の動作例を表す模式図である。
【図１４】図１４は、実施形態１に係るタッチ検出機能付き表示装置におけるタッチ検出の動作例を表す模式図である。
【図１５】図１５は、実施形態１に係るタッチ検出機能付き表示装置におけるタッチ検出の動作例を表す模式図である。
【図１６】図１６は、実施形態１に係る駆動電極ドライバの駆動信号生成部を示すブロック図である。
【図１７】図１７は、実施形態１に係る駆動電極ドライバを示すブロック図である。
【図１８】図１８は、実施形態１に係る駆動電極ドライバの駆動部を示すブロック図である。
【図１９】図１９は、比較例に係る駆動電極ドライバを示すブロック図である。
【図２０】図２０は、比較例に係るタッチ用配線の額縁における幅を模式的に示す説明図である。
【図２１】図２１は、実施形態１に係るタッチ用配線の額縁における幅を模式的に示す説明図である。
【図２２】図２２は、実施形態１に係るタッチ検出機能付き表示装置のタイミング波形例を示す説明図である。
【図２３】図２３は、タッチ検出機能付き表示装置のタイミング波形の変形例を示す説明図である。
【図２４】図２４は、実施形態２に係る駆動電極ドライバを示すブロック図である。
【図２５】図２５は、実施形態２に係るタッチ検出機能付き表示装置のタイミング波形例を示す説明図である。
【図２６】図２６は、実施形態２の変形例に係る駆動電極ドライバを示すブロック図である。
【図２７】図２７は、実施形態２の変形例に係るタッチ検出機能付き表示装置のタイミング波形例を示す説明図である。
【図２８】図２８は、実施形態３に係る駆動電極ドライバを示すブロック図である。
【図２９】図２９は、実施形態３に係る駆動電極ドライバの駆動信号生成部を示すブロック図である。
【図３０】図３０は、実施形態３に係るタッチ検出機能付き表示装置のタイミング波形例を示す説明図である。
【図３１】図３１は、実施形態４に係る駆動電極ドライバの駆動信号生成部を示すブロック図である。
【図３２】図３２は、実施形態４に係る駆動電極ドライバを示すブロック図である。
【図３３】図３３は、実施形態４に係るタッチ検出機能付き表示装置１のタイミング波形例を示す説明図である。
【図３４】図３４は、実施形態５に係る駆動電極ドライバを示すブロック図である。
【図３５】図３５は、実施形態５に係るタッチ検出機能付き表示装置１のタイミング波形例を示す説明図である。
【図３６】図３６は、変形例に係るタッチ検出機能付き表示デバイスの概略断面構造を表す断面図である。
【図３７】図３７は、本実施形態に係るタッチ検出機能付き表示装置を適用する電子機器の一例を示す図である。
【図３８】図３８は、本実施形態に係るタッチ検出機能付き表示装置を適用する電子機器の一例を示す図である。
【図３９】図３９は、本実施形態に係るタッチ検出機能付き表示装置を適用する電子機器の一例を示す図である。
【図４０】図４０は、本実施形態に係るタッチ検出機能付き表示装置を適用する電子機器の一例を示す図である。
【図４１】図４１は、本実施形態に係るタッチ検出機能付き表示装置を適用する電子機器の一例を示す図である。
【図４２】図４２は、本実施形態に係るタッチ検出機能付き表示装置を適用する電子機器の一例を示す図である。
【図４３】図４３は、本実施形態に係るタッチ検出機能付き表示装置を適用する電子機器の一例を示す図である。
【図４４】図４４は、本実施形態に係るタッチ検出機能付き表示装置を適用する電子機器の一例を示す図である。
【発明を実施するための形態】
【００２０】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００２１】
（実施形態１）
図１は、実施形態１に係るタッチ検出機能付き表示装置の一構成例を表すブロック図である。タッチ検出機能付き表示装置１は、タッチ検出機能付き表示デバイス１０と、制御部１１と、ゲートドライバ１２と、ソースドライバ１３と、ソースセレクタ部１３Ｓと、駆動電極ドライバ１４と、タッチ検出部４０とを備えている。このタッチ検出機能付き表示装置１は、タッチ検出機能付き表示デバイス１０がタッチ検出機能を内蔵した表示デバイスである。タッチ検出機能付き表示デバイス１０は、表示素子として液晶表示素子を用いている液晶表示デバイス２０と静電容量型のタッチ検出デバイス３０とを一体化した、装置である。
【００２２】
本実施形態においては、表示領域に画像を表示する画像表示機能を有する表示機能層の開示例として液晶表示装置（液晶表示デバイス２０）の場合を例示したが、その他の適用例として、有機ＥＬ装置、その他の自発光型表示装置、あるいは電気泳動素子等を有する電子ペーパー型表示装置等、あらゆるフラットパネル型の表示装置が挙げられる。また、中小型から大型まで、特に限定することなく適用が可能であることはいうまでもない。
【００２３】
液晶表示デバイス２０は、後述するように、ゲートドライバ１２から供給される走査信号Ｖｓｃａｎに従って、１水平ラインずつ順次走査して表示を行うデバイスである。制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらが互いに同期して動作するように制御する回路である。本実施形態における制御装置は、制御部１１、ゲートドライバ１２、ソースドライバ１３、駆動電極ドライバ１４を含む。
【００２４】
ゲートドライバ１２は、制御部１１から供給される制御信号に基づいて、タッチ検出機能付き表示デバイス１０の表示駆動の対象となる１水平ラインを順次選択する機能を有している。
【００２５】
ソースドライバ１３は、制御部１１から供給される制御信号に基づいて、タッチ検出機能付き表示デバイス１０の、後述する各画素Ｐｉｘ（副画素ＳＰｉｘ）に画素信号Ｖｐｉｘを供給する回路である。ソースドライバ１３は、後述するように、１水平ライン分の映像信号Ｖｄｉｓｐから、液晶表示デバイス２０の複数の副画素ＳＰｉｘの画素信号Ｖｐｉｘを時分割多重化した画素信号を生成し、ソースセレクタ部１３Ｓに供給する。また、ソースドライバ１３は、画像信号Ｖｓｉｇに多重化された画素信号Ｖｐｉｘを分離するために必要なスイッチ制御信号Ｖｓｅｌを生成し、画素信号Ｖｐｉｘとともにソースセレクタ部１３Ｓに供給する。なお、ソースセレクタ部１３Ｓは、ソースドライバ１３と制御部１１との間の配線数を少なくすることができる。
【００２６】
駆動電極ドライバ１４は、制御部１１から供給される制御信号に基づいて、タッチ検出機能付き表示デバイス１０の、後述する駆動電極ＣＯＭＬにタッチ検出用の駆動信号（タッチ駆動信号、以下駆動信号という。）ＶｃｏｍＡＣ、表示用の電圧である表示用駆動電圧ＶｃｏｍＤＣを供給する回路である。
【００２７】
タッチ検出部４０は、制御部１１から供給される制御信号と、タッチ検出機能付き表示デバイス１０のタッチ検出デバイス３０から供給されたタッチ検出信号Ｖｄｅｔに基づいて、タッチ検出デバイス３０に対するタッチ（上述した接触状態）の有無を検出し、タッチがある場合においてタッチ検出領域におけるその座標などを求める回路である。このタッチ検出部４０はタッチ検出信号増幅部４２と、Ａ／Ｄ変換部４３と、信号処理部４４と、座標抽出部４５と、検出タイミング制御部４６とを備えている。
【００２８】
タッチ検出信号増幅部４２は、タッチ検出デバイス３０から供給されるタッチ検出信号Ｖｄｅｔを増幅する。タッチ検出信号増幅部４２は、タッチ検出信号Ｖｄｅｔに含まれる高い周波数成分（ノイズ成分）を除去し、タッチ成分を取り出してそれぞれ出力する低域通過アナログフィルタを備えていてもよい。
【００２９】
（静電容量型タッチ検出の基本原理）
タッチ検出デバイス３０は、静電容量型タッチ検出の基本原理に基づいて動作し、タッチ検出信号Ｖｄｅｔを出力する。図１〜図６を参照して、本実施形態のタッチ検出機能付き表示装置１におけるタッチ検出の基本原理について説明する。図２は、静電容量型タッチ検出方式の基本原理を説明するため、指が接触または近接していない状態を表す説明図である。図３は、図２に示す指が接触または近接していない状態の等価回路の例を示す説明図である。図４は、静電容量型タッチ検出方式の基本原理を説明するため、指が接触または近接した状態を表す説明図である。図５は、図４に示す指が接触または近接した状態の等価回路の例を示す説明図である。図６は、駆動信号及びタッチ検出信号の波形の一例を表す図である。
【００３０】
例えば、図２に示すように、容量素子Ｃ１は、誘電体Ｄを挟んで互いに対向配置された一対の電極、駆動電極Ｅ１及びタッチ検出電極Ｅ２を備えている。図３に示すように、容量素子Ｃ１は、その一端が交流信号源（駆動信号源）Ｓに接続され、他端は電圧検出器（タッチ検出部）ＤＥＴに接続される。電圧検出器ＤＥＴは、例えば図１に示すタッチ検出信号増幅部４２に含まれる積分回路である。
【００３１】
交流信号源Ｓから駆動電極Ｅ１（容量素子Ｃ１の一端）に所定の周波数（例えば数ｋＨｚ〜数百ｋＨｚ程度）の交流矩形波Ｓｇを印加すると、タッチ検出電極Ｅ２（容量素子Ｃ１の他端）側に接続された電圧検出器ＤＥＴを介して、出力波形（タッチ検出信号Ｖｄｅｔ）が現れる。なお、この交流矩形波Ｓｇは、後述する駆動信号ＶｃｏｍＡＣに相当するものである。
【００３２】
指が接触（または近接）していない状態（非接触状態）では、図２及び図３に示すように、容量素子Ｃ１に対する充放電に伴って、容量素子Ｃ１の容量値に応じた電流Ｉ０が流れる。図６に示すように、電圧検出器ＤＥＴは、交流矩形波Ｓｇに応じた電流Ｉ０の変動を電圧の変動（実線の波形Ｖ０）に変換する。
【００３３】
一方、指が接触（または近接）した状態（接触状態）では、図４に示すように、指によって形成される静電容量Ｃ２がタッチ検出電極Ｅ２と接している又は近傍にあることにより、駆動電極Ｅ１及びタッチ検出電極Ｅ２の間にあるフリンジ分の静電容量が遮られ、容量素子Ｃ１の容量値よりも容量値の小さい容量素子Ｃ１’として作用する。そして、図５に示す等価回路でみると、容量素子Ｃ１’に電流Ｉ１が流れる。図６に示すように、電圧検出器ＤＥＴは、交流矩形波Ｓｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指などの外部からの近接する物体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間Ｒｅｓｅｔを設けた動作とすることがより好ましい。
【００３４】
図１に示すタッチ検出デバイス３０は、駆動電極ドライバ１４から供給される駆動信号Ｖｃｏｍ（後述する駆動信号ＶｃｏｍＡＣ）に従って、１検出ブロックずつ順次走査してタッチ検出を行うようになっている。
【００３５】
タッチ検出デバイス３０は、複数の後述するタッチ検出電極ＴＤＬから、図３又は図５に示す電圧検出器ＤＥＴを介して、検出ブロックごとにタッチ検出信号Ｖｄｅｔを出力し、タッチ検出部４０のＡ／Ｄ変換部４３に供給するようになっている。
【００３６】
Ａ／Ｄ変換部４３は、駆動信号ＶｃｏｍＡＣに同期したタイミングで、タッチ検出信号増幅部４２から出力されるアナログ信号をそれぞれサンプリングしてデジタル信号に変換する回路である。
【００３７】
信号処理部４４は、Ａ／Ｄ変換部４３の出力信号に含まれる、駆動信号Ｖｃｏｍをサンプリングした周波数以外の周波数成分（ノイズ成分）を低減するデジタルフィルタを備えている。信号処理部４４は、Ａ／Ｄ変換部４３の出力信号に基づいて、タッチ検出デバイス３０に対するタッチの有無を検出する論理回路である。信号処理部４４は、指による差分の電圧のみ取り出す処理を行う。この指による差分の電圧は、上述した波形Ｖ０と波形Ｖ１との差分の絶対値｜ΔＶ｜である。信号処理部４４は、１検出ブロック当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指による差分の電圧を所定のしきい値電圧と比較し、このしきい値電圧以上であれば、外部から近接する外部近接物体の接触状態と判断し、しきい値電圧未満であれば、外部近接物体の非接触状態と判断する。このようにして、タッチ検出部４０はタッチ検出が可能となる。
【００３８】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００３９】
（モジュール）
図７は、実施形態１に係るタッチ検出機能付き表示装置を実装したモジュールの一例を示す図である。図７に示すように、タッチ検出機能付き表示装置１は、後述する画素基板２（ＴＦＴ基板２１）と、フレキシブルプリント基板Ｔとを備えている。画素基板２（ＴＦＴ基板２１）は、ＣＯＧ（Chip  On  Glass）１９を搭載し、上述した液晶表示デバイス２０の表示領域Ａｄと、額縁領域Ｇｄとが形成されている。ＣＯＧ１９は、ＴＦＴ基板２１に実装されたＩＣドライバのチップであり、図１に示した制御部１１、ソースドライバ１３など、表示動作に必要な各回路を内蔵した制御装置である。本実施形態では、上述したソースドライバ１３及びソースセレクタ部１３Ｓは、ＴＦＴ基板２１上に形成されている。ソースドライバ１３及びソースセレクタ部１３Ｓは、ＣＯＧ１９に内蔵されていてもよい。また、駆動電極ドライバ１４の一部である、駆動電極走査部１４Ａ、１４Ｂは、ＴＦＴ基板２１に形成されている。また、ゲートドライバ１２は、ゲートドライバ１２Ａ、１２Ｂとして、ＴＦＴ基板２１に形成されている。また、タッチ検出機能付き表示装置１は、ＣＯＧ１９に駆動電極走査部１４Ａ、１４Ｂ、ゲートドライバ１２などの回路を内蔵してもよい。
【００４０】
図１に示すタッチ検出機能付き表示デバイス１０は、ＴＦＴ基板２１の表面に対する垂直方向において、駆動電極ＣＯＭＬの駆動電極ブロックＢと、駆動電極ブロックＢ（駆動電極ＣＯＭＬ）と立体交差するように形成されたタッチ検出電極ＴＤＬとを模式的に示している。また、タッチ検出機能付き表示デバイス１０は、ＴＦＴ基板２１の表面に対する垂直方向において、駆動電極ＣＯＭＬと、駆動電極ＣＯＭＬと交差せず平行な方向に延びるように形成された、後述する走査線ＧＣＬを備えている。
【００４１】
また、駆動電極ＣＯＭＬは、一方向に延在する複数のストライプ状の電極パターンに分割されている。タッチ検出動作を行う際は、各電極パターンには、駆動電極ドライバ１４によって駆動信号ＶｃｏｍＡＣが順次供給される。同時に駆動信号ＶｃｏｍＡＣが供給される、駆動電極ＣＯＭＬの複数のストライプ状の電極パターンが図７に示す駆動電極ブロックＢである。駆動電極ブロックＢ（駆動電極ＣＯＭＬ）は、タッチ検出機能付き表示デバイス１０の一辺に沿う方向に形成されており、後述するタッチ検出電極ＴＤＬは、タッチ検出機能付き表示デバイス１０の他辺に沿う方向に形成されている。タッチ検出電極ＴＤＬの出力は、タッチ検出機能付き表示デバイス１０の短辺側に設けられ、フレキシブルプリント基板Ｔを介して、フレキシブルプリント基板Ｔに実装されたタッチ検出部４０と接続されている。このように、タッチ検出部４０は、フレキシブルプリント基板Ｔ上に実装され、並設された複数のタッチ検出電極ＴＤＬのそれぞれと接続されている。フレキシブルプリント基板Ｔは、端子であればよく、フレキシブルプリント基板に限られず、この場合、モジュールの外部にタッチ検出部４０が備えられる。
【００４２】
制御部１１、ソースドライバ１３及び駆動電極ドライバ１４のうち、後述する駆動信号生成部は、画素基板２上にＣＯＧ１９として実装される。ソースセレクタ部１３Ｓは、ＴＦＴ基板２１上の表示領域Ａｄの近傍に、ＴＦＴ素子を用いて形成されている。表示領域Ａｄには、後述する画素Ｐｉｘがマトリックス状（行列状）に多数配置されている。額縁領域Ｇｄ、Ｇｄは、ＴＦＴ基板２１の表面を垂直な方向からみて画素Ｐｉｘが配置されていない領域である。ゲートドライバ１２と、駆動電極ドライバ１４のうち駆動電極走査部１４Ａ、１４Ｂとは、額縁領域Ｇｄ、Ｇｄに配置されている。
【００４３】
ゲートドライバ１２は、ゲートドライバ１２Ａ、１２Ｂを備え、ＴＦＴ基板２１上にＴＦＴ素子を用いて形成されている。ゲートドライバ１２Ａ、１２Ｂは、表示領域Ａｄに、後述する副画素ＳＰｉｘ（画素）がマトリックス状に配置された、表示領域Ａｄを挟んで両側から駆動することができるようになっている。以下の説明では、ゲートドライバ１２Ａを第１ゲートドライバ１２Ａとし、ゲートドライバ１２Ｂを第２ゲートドライバ１２Ｂとする。また、後述する走査線ＧＣＬは、第１ゲートドライバ１２Ａ、第２ゲートドライバ１２Ｂとの間に配列する。このため、後述する走査線ＧＣＬは、ＴＦＴ基板２１の表面に対する垂直方向において、駆動電極ＣＯＭＬの延在方向と平行な方向に延びるように設けられている。
【００４４】
駆動電極走査部１４Ａ、１４Ｂは、ＴＦＴ基板２１上にＴＦＴ素子を用いて形成されている。駆動電極走査部１４Ａ、１４Ｂは、駆動信号生成部から、表示用配線ＬＤＣを介して、表示用駆動電圧ＶｃｏｍＤＣの供給を受けるとともに、タッチ用配線ＬＡＣを介して駆動信号ＶｃｏｍＡＣの供給を受ける。駆動電極走査部１４Ａ、１４Ｂは、額縁領域Ｇｄにおいて、一定の幅Ｇｄｖを占める。そして、駆動電極走査部１４Ａ、１４Ｂは、並設された複数の駆動電極ブロックＢのそれぞれを、両側から駆動することができるようになっている。表示用駆動電圧ＶｃｏｍＤＣを供給する表示用配線ＬＤＣと、タッチ用駆動信号ＶｃｏｍＡＣを供給するタッチ用配線ＬＡＣとは、並列に額縁領域Ｇｄ、Ｇｄに配置されている。表示用配線ＬＤＣは、タッチ用配線ＬＡＣよりも表示領域Ａｄ側に配置されている。この構造により、表示用配線ＬＤＣにより供給される表示用駆動電圧ＶｃｏｍＤＣが、表示領域Ａｄの端部の電位状態を安定させる。このため、特に、横電界モードの液晶を用いた液晶表示デバイスにおいて、表示が安定する。
【００４５】
図７に示すタッチ検出機能付き表示装置１は、上述したタッチ検出信号Ｖｄｅｔを、タッチ検出機能付き表示デバイス１０の一方の辺側から出力する。これにより、タッチ検出機能付き表示装置１は、端子部であるフレキシブルプリント基板Ｔを介してタッチ検出部４０に接続する際の配線の引き回しが容易になる。
【００４６】
（タッチ検出機能付き表示デバイス）
次に、タッチ検出機能付き表示デバイス１０の構成例を詳細に説明する。図８は、実施形態１に係るタッチ検出機能付き表示デバイスの概略断面構造を表す断面図である。図９は、実施形態１に係るタッチ検出機能付き表示装置の制御装置の一例を示す図である。図１０は、実施形態１に係るタッチ検出機能付き表示デバイスの画素配列を表す回路図である。
【００４７】
図８に示すように、タッチ検出機能付き表示デバイス１０は、画素基板２と、この画素基板２の表面に垂直な方向に対向して配置された対向基板３と、画素基板２と対向基板３との間に挿設された液晶層６とを備えている。
【００４８】
液晶層６は、電界の状態に応じてそこを通過する光を変調するものであり、例えば、ＦＦＳ（フリンジフィールドスイッチング）またはＩＰＳ（インプレーンスイッチング）等の横電界モードの液晶を用いた液晶表示デバイスが用いられる。なお、図８に示す液晶層６と画素基板２との間、及び液晶層６と対向基板３との間には、それぞれ配向膜が配設されてもよい。
【００４９】
また、対向基板３は、ガラス基板３１と、このガラス基板３１の一方の面に形成されたカラーフィルタ３２とを含む。ガラス基板３１の他方の面には、タッチ検出デバイス３０の検出電極であるタッチ検出電極ＴＤＬが形成され、さらに、このタッチ検出電極ＴＤＬの上には、偏光板３５が配設されている。
【００５０】
画素基板２は、回路基板としてのＴＦＴ基板２１と、このＴＦＴ基板２１上にマトリックス状に配設された複数の画素電極２２と、ＴＦＴ基板２１及び画素電極２２の間に形成された複数の駆動電極ＣＯＭＬと、画素電極２２と駆動電極ＣＯＭＬとを絶縁する絶縁層２４と、を含む。
【００５１】
（表示装置のシステム構成例）
画素基板２は、ＴＦＴ基板２１上に、表示領域Ａｄと、インターフェース（Ｉ／Ｆ）及びタイミングジェネレータの機能を備えるＣＯＧ１９と、第１ゲートドライバ１２Ａ、第２ゲートドライバ１２Ｂ及びソースドライバ１３とを備えている。上述した図７に示すフレキシブルプリント基板Ｔは、図７に示すＣＯＧ１９として配置された図９に示すＣＯＧ１９への外部信号またはＣＯＧ１９を駆動する駆動電力を伝送する。画素基板２は、透明絶縁基板（例えばガラス基板）のＴＦＴ基板２１の表面にあり、液晶セルを含む画素がマトリックス状（行列状）に多数配置されてなる表示領域Ａｄと、ソースドライバ（水平駆動回路）１３と、ゲートドライバ（垂直駆動回路）１２Ａ、１２Ｂと、を備えている。ゲートドライバ（垂直駆動回路）１２Ａ、１２Ｂは、第１ゲートドライバ１２Ａ、第２ゲートドライバ１２Ｂとして、表示領域Ａｄを挟むように配置されている。
【００５２】
表示領域Ａｄは、液晶層６を含む副画素ＳＰｉｘが、ｍ行×ｎ列に配置されたマトリックス（行列状）構造を有している。なお、この明細書において、行とは、一方向に配列されるｍ個の副画素ＳＰｉｘを有する画素行をいう。また、列とは、行が配列される方向と直交する方向に配列されるｎ個の副画素ＳＰｉｘを有する画素列をいう。そして、ｍとｎとの値は、垂直方向の表示解像度と水平方向の表示解像度に応じて定まる。表示領域Ａｄは、画素Ｖｐｉｘのｍ行ｎ列の配列に対して行毎に走査線ＧＣＬｍ＋１、ＧＣＬｍ＋２、ＧＣＬｍ＋３・・・が配線され、列毎に信号線ＳＧＬｎ＋１、ＳＧＬｎ＋２、ＳＧＬｎ＋３、ＳＧＬｎ＋４、ＳＧＬｎ＋５・・・が配線されている。以後、実施形態においては、走査線ＧＣＬｍ＋１、ＧＣＬｍ＋２、ＧＣＬｍ＋３・・・を代表して走査線ＧＣＬのように表記し、信号線ＳＧＬｎ＋１、ＳＧＬｎ＋２、ＳＧＬｎ＋３、ＳＧＬｎ＋４、ＳＧＬｎ＋５・・・を代表して信号線ＳＧＬのように表記することがある。
【００５３】
画素基板２には、外部から外部信号である、マスタークロック、水平同期信号及び垂直同期信号が入力され、ＣＯＧ１９に与えられる。ＣＯＧ１９は、外部電源の電圧振幅のマスタークロック、水平同期信号及び垂直同期信号を、液晶の駆動に必要な内部電源の電圧振幅にレベル変換（昇圧）し、マスタークロック、水平同期信号及び垂直同期信号としてタイミングジェネレータを通し、垂直スタートパルスＶＳＴ、垂直クロックパルスＶＣＫ、水平スタートパルスＨＳＴ及び水平クロックパルスＨＣＫを生成する。ＣＯＧ１９は、垂直スタートパルスＶＳＴ、垂直クロックパルスＶＣＫを第１ゲートドライバ１２Ａ、第２ゲートドライバ１２Ｂに与えるとともに、水平スタートパルスＨＳＴ及び水平クロックパルスＨＣＫをソースドライバ１３に与える。ＣＯＧ１９は、副画素ＳＰｉｘ毎の画素電極に対して各画素共通に与えて、コモン電位とよばれる表示用駆動電圧（対向電極電位）ＶＣＯＭを生成して上述した駆動電極ＣＯＭＬに与える。
【００５４】
第１ゲートドライバ１２Ａ、第２ゲートドライバ１２Ｂは、後述するシフトレジスタを含み、さらにラッチ回路等を含んでもよい。第１ゲートドライバ１２Ａ、第２ゲートドライバ１２Ｂは、上述した垂直スタートパルスＶＳＴが与えられることで、ラッチ回路が、垂直クロックパルスＶＣＫに同期してＣＯＧ１９から出力される表示データを１水平期間で順次サンプリングしラッチする。第１ゲートドライバ１２Ａ、第２ゲートドライバ１２Ｂは、ラッチ回路においてラッチされた１ライン分のデジタルデータを垂直走査パルスとして順に出力し、走査線ＧＣＬに与えることによって副画素ＳＰｉｘを行単位で順次選択する。第１ゲートドライバ１２Ａ、第２ゲートドライバ１２Ｂは、走査線ＧＣＬの延在方向に走査線ＧＣＬを挟むように配置されている。第１ゲートドライバ１２Ａ、第２ゲートドライバ１２Ｂは、表示領域Ａｄの上寄り、垂直走査上方向から、表示領域Ａｄの下寄り、垂直走査下方向へ順に出力する。
【００５５】
ソースドライバ１３には、例えば６ビットのＲ（赤）、Ｇ（緑）、Ｂ（青）のデジタル画像信号Ｖｓｉｇが与えられる。ソースドライバ１３は、第１ゲートドライバ１２Ａ、第２ゲートドライバ１２Ｂによる垂直走査によって選択された行の各副画素ＳＰｉｘに対して、画素毎に、もしくは複数画素毎に、あるいは全画素一斉に、信号線ＳＧＬを介して表示データを書き込む。
【００５６】
ＴＦＴ基板２１には、図９及び図１０に示す各副画素ＳＰｉｘの薄膜トランジスタ（ＴＦＴ；Thin  Film  Transistor）素子Ｔｒ、図８に示す各画素電極２２に画素信号Ｖｐｉｘを供給する画素信号線ＳＧＬ、各ＴＦＴ素子Ｔｒを駆動する走査線ＧＣＬ等の配線が形成されている。このように、画素信号線ＳＧＬは、ＴＦＴ基板２１の表面と平行な平面に延在し、画素に画像を表示するための画素信号Ｖｐｉｘを供給する。図１０に示す液晶表示デバイス２０は、マトリックス状に配列した複数の副画素ＳＰｉｘを有している。副画素ＳＰｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal  Oxide  Semiconductor）型のＴＦＴで構成されている。ＴＦＴ素子Ｔｒのソースは画素信号線ＳＧＬに接続され、ゲートは走査線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００５７】
図９に示す第１ゲートドライバ１２Ａ、第２ゲートドライバ１２Ｂは、垂直走査パルスを、図１０に示す走査線ＧＣＬを介して、副画素ＳＰｉｘのＴＦＴ素子Ｔｒのゲートに印加することにより、表示領域Ａｄにマトリックス状に形成されている副画素ＳＰｉｘのうちの１行（１水平ライン）を表示駆動の対象として順次選択する。ソースドライバ１３は、画素信号Ｖｐｉｘを、ＳＧＬを介して、第１ゲートドライバ１２Ａ、第２ゲートドライバ１２Ｂにより順次選択される１水平ラインを含む各副画素ＳＰｐｉｘにそれぞれ供給する。そして、これらの副画素ＳＰｉｘでは、供給される画素信号に応じて、１水平ラインの表示が行われるようになっている。駆動電極ドライバ１４は、表示用の駆動信号（表示用駆動電圧ＶｃｏｍＤＣ）を印加して、駆動電極ＣＯＭＬを駆動する。
【００５８】
上述したように、タッチ検出機能付き表示装置１は、第１ゲートドライバ１２Ａ、第２ゲートドライバ１２Ｂが走査線ＧＣＬｍ＋１、ＧＣＬｍ＋２、ＧＣＬｍ＋３を順次走査するように駆動することにより、１水平ラインが順次選択される。また、タッチ検出機能付き表示装置１は、１水平ラインに属する画素Ｖｐｉｘに対して、ソースドライバ１３が画素信号を供給することにより、１水平ラインずつ表示が行われる。この表示動作を行う際、駆動電極ドライバ１４は、その１水平ラインに対応する駆動電極ＣＯＭＬに対して駆動信号Ｖｃｏｍを印加するようになっている。
【００５９】
図８に示すカラーフィルタ３２は、例えば赤（Ｒ）、緑（Ｇ）、青（Ｂ）の３色に着色されたカラーフィルタの色領域を周期的に配列して、上述した図１０に示す各副画素ＳＰｉｘにＲ、Ｇ、Ｂの３色の色領域３２Ｒ、３２Ｇ、３２Ｂ（図１０参照）が１組として画素Ｐｉｘとして対応付けられている。カラーフィルタ３２は、ＴＦＴ基板２１と垂直な方向において、液晶層６と対向する。なお、カラーフィルタ３２は、異なる色に着色されていれば、他の色の組み合わせであってもよい。
【００６０】
図１０に示す副画素ＳＰｉｘは、走査線ＧＣＬにより、液晶表示デバイス２０の同じ行に属する他の副画素ＳＰｉｘと互いに接続されている。走査線ＧＣＬは、ゲートドライバ１２と接続され、ゲートドライバ１２より走査信号Ｖｓｃａｎが供給される。また、副画素ＳＰｉｘは、画素信号線ＳＧＬにより、液晶表示デバイス２０の同じ列に属する他の副画素ＳＰｉｘと互いに接続されている。画素信号線ＳＧＬは、ソースドライバ１３と接続され、ソースドライバ１３より画素信号Ｖｐｉｘが供給される。
【００６１】
図１１は、実施形態１に係るタッチ検出機能付き表示装置を実装したモジュールにおいて、ソースドライバと、画素信号線との関係を説明する模式図である。図１１に示すように、タッチ検出機能付き表示装置１は、画素信号線ＳＧＬが、ソースセレクタ部１３Ｓを介して上述したＣＯＧ１９に内蔵したソースドライバ１３に接続されている。ソースセレクタ部１３Ｓは、スイッチ制御信号Ｖｓｅｌに応じて開閉動作する。
【００６２】
図１１に示すように、ソースドライバ１３は、制御部１１から供給される画像信号Ｖｓｉｇ及びソースドライバ制御信号に基づいて、画素信号Ｖｐｉｘを生成し出力する。ソースドライバ１３は、１水平ライン分の画像信号Ｖｓｉｇから、タッチ検出機能付き表示デバイス１０の液晶表示デバイス２０の複数（この例では３つ）の副画素ＳＰｉｘの画素信号Ｖｐｉｘを時分割多重した画素信号を生成し、ソースセレクタ部１３Ｓに供給する。また、ソースドライバ１３は、画像信号Ｖｓｉｇに多重化された画素信号Ｖｐｉｘを分離するために必要なスイッチ制御信号Ｖｓｅｌ（ＶｓｅｌＲ、ＶｓｅｌＧ、ＶｓｅｌＢ）を生成し、画像信号Ｖｓｉｇとともにソースセレクタ部１３Ｓに供給する。なお、この多重化により、ソースドライバ１３とソースセレクタ部１３Ｓとの間の配線数が少なくなる。
【００６３】
ソースセレクタ部１３Ｓは、ソースドライバ１３から供給された画像信号Ｖｓｉｇ及びスイッチ制御信号Ｖｓｅｌに基づいて、画像信号Ｖｓｉｇに時分割多重された画素信号Ｖｐｉｘを分離し、タッチ検出機能付き表示デバイス１０の液晶表示デバイス２０に供給する。
【００６４】
ソースセレクタ部１３Ｓは、例えば、３つのスイッチＳＷＲ、ＳＷＧ、ＳＷＢを備え、３つのスイッチＳＷＲ、ＳＷＧ、ＳＷＢの各一端は互いに接続されソースドライバ１３から画像信号Ｖｓｉｇが供給される。３つのスイッチＳＷＲ、ＳＷＧ、ＳＷＢの各他端はタッチ検出機能付き表示デバイス１０の液晶表示デバイス２０の画素信号線ＳＧＬを介して、副画素ＳＰｉｘにそれぞれ接続されている。３つのスイッチＳＷＲ、ＳＷＧ、ＳＷＢは、ソースドライバ１３から供給されたスイッチ制御信号Ｖｓｅｌ（ＶｓｅｌＲ、ＶｓｅｌＧ、ＶｓｅｌＢ）によってそれぞれ開閉制御される。この構成により、ソースセレクタ部１３Ｓは、スイッチ制御信号Ｖｓｅｌに応じて、スイッチＳＷＲ、ＳＷＧ、ＳＷＢを時分割的に順次切り替えてオン（ＯＮ）状態にすることができる。これにより、ソースセレクタ部１３Ｓは、多重化された画像信号Ｖｓｉｇから画素信号Ｖｐｉｘ（ＶｐｉｘＲ、ＶｐｉｘＧ、ＶｐｉｘＢ）を分離する。そして、ソースセレクタ部１３Ｓは、画素信号Ｖｐｉｘを、３つの副画素ＳＰｉｘにそれぞれ供給する。上述した赤（Ｒ）、緑（Ｇ）、青（Ｂ）の３色に着色された色領域３２Ｒ、３２Ｇ、３２Ｂが、副画素ＳＰｉｘにそれぞれ対応付けられている。このため、色領域３２Ｒに対応する副画素ＳＰｉｘには、画素信号ＶｐｉｘＲが供給される。色領域３２Ｇに対応する副画素ＳＰｉｘには、画素信号ＶｐｉｘＧが供給される。色領域３２Ｂに対応する副画素ＳＰｉｘには、画素信号ＶｐｉｘＢが供給される。
【００６５】
副画素ＳＰｉｘは、駆動電極ＣＯＭＬにより、液晶表示デバイス２０の同じ行に属する他の副画素ＳＰｉｘと互いに接続されている。駆動電極ＣＯＭＬは、駆動電極ドライバ１４と接続され、駆動電極ドライバ１４より表示用駆動電圧ＶｃｏｍＤＣが供給される。つまり、この例では、同じ一行に属する複数の副画素ＳＰｉｘが駆動電極ＣＯＭＬを共有するようになっている。
【００６６】
図１に示すゲートドライバ１２は、走査信号Ｖｓｃａｎを、図１０に示す走査線ＧＣＬを介して、副画素ＳＰｉｘのＴＦＴ素子Ｔｒのゲートに印加することにより、液晶表示デバイス２０にマトリックス状に形成されている副画素ＳＰｉｘのうちの１行（１水平ライン）を表示駆動の対象として順次選択する。図１に示すソースドライバ１３は、画素信号Ｖｐｉｘを、図１０に示す画素信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。図１に示す駆動電極ドライバ１４は、駆動信号Ｖｃｏｍを印加し、図７及び図９に示す、所定の本数の駆動電極ＣＯＭＬからなる駆動電極ブロックＢ毎に駆動電極ＣＯＭＬを駆動する。
【００６７】
上述したように、液晶表示デバイス２０は、ゲートドライバ１２が走査線ＧＣＬを時分割的に順次走査するように駆動することにより、１水平ラインが順次選択される。また、液晶表示デバイス２０は、１水平ラインに属する副画素ＳＰｉｘに対して、ソースドライバ１３が画素信号Ｖｐｉｘを供給することにより、１水平ラインずつ表示が行われる。この表示動作を行う際、駆動電極ドライバ１４は、その１水平ラインに対応する駆動電極ＣＯＭＬを含む駆動電極ブロックに対して表示用駆動電圧ＶｃｏｍＤＣを印加するようになっている。
【００６８】
本実施形態に係る駆動電極ＣＯＭＬは、液晶表示デバイス２０の駆動電極として機能するとともに、タッチ検出デバイス３０の駆動電極としても機能する。図１２は、実施形態１に係るタッチ検出機能付き表示デバイスの駆動電極及びタッチ検出電極の一構成例を表す斜視図である。図１２に示す駆動電極ＣＯＭＬは、図８に示すように、ＴＦＴ基板２１の表面に対する垂直方向において、画素電極２２に対向している。タッチ検出デバイス３０は、画素基板２に設けられた駆動電極ＣＯＭＬと、対向基板３に設けられたタッチ検出電極ＴＤＬにより構成されている。タッチ検出電極ＴＤＬは、駆動電極ＣＯＭＬの電極パターンの延在方向と交差する方向に延びるストライプ状の電極パターンから構成されている。そして、タッチ検出電極ＴＤＬは、ＴＦＴ基板２１の表面に対する垂直な方向において、駆動電極ＣＯＭＬと対向している。タッチ検出電極ＴＤＬの各電極パターンは、タッチ検出部４０のタッチ検出信号増幅部４２の入力にそれぞれ接続されている。駆動電極ＣＯＭＬとタッチ検出電極ＴＤＬにより互いに交差した電極パターンは、その交差部分に静電容量を生じさせている。なお、タッチ検出電極ＴＤＬ又は駆動電極ＣＯＭＬ（駆動電極ブロック）は、ストライプ状に複数に分割される形状に限られない。例えば、タッチ検出電極ＴＤＬ又は駆動電極ＣＯＭＬ（駆動電極ブロック）は、櫛歯形状であってもよい。あるいはタッチ検出電極ＴＤＬ又は駆動電極ＣＯＭＬ（駆動電極ブロック）は、複数に分割されていればよく、駆動電極ＣＯＭＬを分割するスリットの形状は直線であっても、曲線であってもよい。
【００６９】
この構成により、タッチ検出デバイス３０では、タッチ検出動作を行う際、駆動電極ドライバ１４が、図７に示す駆動電極ブロックＢを時分割的に線順次走査するように駆動する。これにより、スキャン方向Ｓｃａｎに駆動電極ＣＯＭＬの駆動電極ブロックＢ（１検出ブロック）は、順次選択される。そして、タッチ検出デバイス３０は、タッチ検出電極ＴＤＬからタッチ検出信号Ｖｄｅｔを出力する。このようにタッチ検出デバイス３０は、１検出ブロックのタッチ検出が行われるようになっている。
【００７０】
図１３、図１４及び図１５は、実施形態１に係るタッチ検出機能付き表示装置におけるタッチ検出の動作例を表す模式図である。図７に示す駆動電極ＣＯＭＬの駆動電極ブロックＢが２０個の駆動電極ブロックＢ１〜Ｂ２０である場合の、各駆動電極ブロックＢ１〜Ｂ２０に対するタッチ用駆動信号ＶｃｏｍＡＣの印加動作を示している。駆動信号印加ブロックＢＡＣは、タッチ用駆動信号ＶｃｏｍＡＣが印加された駆動電極ブロックＢを示しており、その他の駆動電極ブロックＢは電圧が印加されず、電位が固定されていない状態、いわゆるフローティング状態となっている。駆動信号印加ブロックＢＡＣは、タッチ用駆動信号ＶｃｏｍＡＣが印加された駆動電極ブロックＢを示しており、その他の駆動電極ブロックＢには表示用駆動電圧ＶｃｏｍＤＣが印加され、電位が固定されていてもよい。図１に示す駆動電極ドライバ１４は、図１３に示すタッチ検出動作の対象となる駆動電極ブロックＢのうち、駆動電極ブロックＢ３を選択して、タッチ用駆動信号ＶｃｏｍＡＣを印加する。次に、駆動電極ドライバ１４は、図１４に示す駆動電極ブロックＢのうち、駆動電極ブロックＢ４を選択して、タッチ用駆動信号ＶｃｏｍＡＣを印加する。次に、駆動電極ドライバ１４は、図１５に示す駆動電極ブロックＢのうち、駆動電極ブロックＢ５を選択して、タッチ用駆動信号ＶｃｏｍＡＣを印加する。このように、駆動電極ドライバ１４は、駆動電極ブロックＢを順次選択して、タッチ用駆動信号ＶｃｏｍＡＣを印加し、全ての駆動電極ブロックＢにわたって走査する。なお、駆動電極ブロックＢの個数は、２０個に限定されるものではない。
【００７１】
タッチ検出デバイス３０は、図１３から図１５に示す駆動電極ブロックＢの１つが、上述した静電容量型タッチ検出の基本原理における駆動電極Ｅ１に対応する。タッチ検出デバイス３０は、タッチ検出電極ＴＤＬの１つが、タッチ検出電極Ｅ２に対応する。タッチ検出デバイス３０は、上述した基本原理に従ってタッチを検出するようになっている。そして、図１２に示すように、互いに立体交差した電極パターンは、静電容量式タッチセンサをマトリックス状に構成している。よって、タッチ検出デバイス３０のタッチ検出面全体にわたって走査することにより、外部近接物体の接触または近接が生じた位置の検出も可能となっている。
【００７２】
タッチ検出機能付き表示デバイス１０は、ゲートドライバ１２が走査線ＧＣＬを時分割的に線順次走査するように駆動することにより、表示走査を行う。また、タッチ検出機能付き表示デバイス１０は、駆動電極ドライバ１４が、駆動電極ブロックＢを順次選択して駆動することにより、１回の走査を完了するタッチ検出走査を行う。例えば、タッチ検出走査Ｓｃａｎｔは、表示走査Ｓｃａｎｄの２倍の走査速度で行われる。このように、タッチ検出機能付き表示装置１では、タッチ検出の走査速度を表示の走査速度よりも速くすることにより、外部から近接する外部近接物体によるタッチにすぐに応答することができ、タッチ検出に対する応答特性を改善することができるようになっている。なお、タッチ検出走査及び表示走査の関係は、限定されるものではなく、例えば、タッチ検出走査は、表示走査の２倍以上の走査速度で行われるようにしてもよいし、表示走査の２倍以下の走査速度で行われるようにしてもよい。
【００７３】
（駆動信号生成部及び駆動電極ドライバ）
図１６は、実施形態１に係る駆動電極ドライバの駆動信号生成部を示すブロック図である。駆動信号生成部１４Ｑは、高レベル電圧生成部６１と、低レベル電圧生成部６２と、バッファ６３、６４、６６と、スイッチング回路６５とを備えている。
【００７４】
高レベル電圧生成部６１は、タッチ用駆動信号ＶｃｏｍＡＣの高レベル電圧を生成する。低レベル電圧生成部６２は、表示用駆動電圧ＶｃｏｍＤＣの直流電圧を生成する。この低レベル電圧生成部６２が生成した電圧は、タッチ用駆動信号ＶｃｏｍＡＣの低レベル電圧としても使用される。バッファ６３は、高レベル電圧生成部６１から供給された電圧を、インピーダンス変換を行いつつ出力し、スイッチング回路６５に供給する。バッファ６４は、低レベル電圧生成部６２から供給された電圧を、インピーダンス変換を行いつつ出力し、スイッチング回路６５に供給する。スイッチング回路６５は、駆動制御信号ＥＸＶＣＯＭに基づいて、駆動制御信号ＥＸＶＣＯＭが高レベルの場合と駆動制御信号ＥＸＶＣＯＭが低レベルの場合とを交互に繰り返し、タッチ用駆動信号ＶｃｏｍＡＣを生成する。スイッチング回路６５は、駆動制御信号ＥＸＶＣＯＭが高レベルの場合に、バッファ６３から供給された電圧を出力し、駆動制御信号ＥＸＶＣＯＭが低レベルの場合に、バッファ６４から供給された電圧を出力する。スイッチング回路６５は、駆動制御信号ＥＸＶＣＯＭに基づいて、駆動制御信号ＥＸＶＣＯＭが低レベルの場合に、バッファ６４から供給された電圧を表示用駆動電圧ＶｃｏｍＤＣの直流電圧として出力する。バッファ６３、６４は、例えばボルテージフォロワにより構成される。なお、スイッチング回路６５の出力する電圧は、出力端子６５Ｅに出力される。バッファ６６は、低レベル電圧生成部６２から供給された電圧を、インピーダンス変換を行いつつ出力し、表示用駆動電圧ＶｃｏｍＤＣの直流電圧を出力端子６６Ｅに供給する。
【００７５】
図１７は、実施形態１に係る駆動電極ドライバを示すブロック図である。図１８は、実施形態１に係る駆動電極ドライバの駆動部を示すブロック図である。図１９は、比較例に係る駆動電極ドライバを示すブロック図である。図２０は、比較例に係るタッチ用配線の額縁における幅を模式的に示す説明図である。図２１は、実施形態１に係るタッチ用配線の額縁における幅を模式的に示す説明図である。
【００７６】
図１７に示すように、駆動電極走査部１４Ａ、１４Ｂは、走査制御部５１と、タッチ検出走査部５２と、駆動部５３０とを備えている。駆動部５３０は、駆動電極ブロックＢと同じ数の駆動部５３（ｋ）〜５３（ｋ＋３）を備えている。走査制御部５１は、ＣＯＧ１９に実装されている。また、タッチ検出走査部５２と、駆動部５３０とは、表示領域Ａｄの周囲にある額縁に配置されている。以後、複数の駆動部５３（ｋ）〜５３（ｋ＋３）のうちの任意の１つをさす場合には、単に駆動部５３を用いるものとする。
【００７７】
走査制御部５１は、制御部１１より供給された制御信号に基づいて、タッチ検出走査部５２に対して制御信号ＳＤＣＫ、走査開始信号ＳＤＳＴを供給する。また、表示用配線ＬＤＣには、上述した駆動信号生成部１４Ｑから出力端子６６Ｅを介して出力された、表示用駆動電圧ＶｃｏｍＤＣが供給される。タッチ用配線ＬＡＣは、上述した駆動信号生成部１４Ｑから出力端子６５Ｅを介して出力された、タッチ用駆動信号ＶｃｏｍＡＣが供給される。走査制御部５１は、駆動信号生成部１４Ｑからタッチ用駆動信号ＶｃｏｍＡＣが供給されている駆動電極選択信号ＶＣＯＭＳＥＬを、駆動部５３０に対して供給する。駆動電極選択信号ＶＣＯＭＳＥＬは、駆動信号生成部１４Ｑから駆動電極ＣＯＭＬへ駆動信号ＶｃｏｍＡＣを供給する期間、つまりタッチ検出期間を識別するための信号である。
【００７８】
タッチ検出走査部５２は、転送回路である、駆動電極用のシフトレジスタ（第１の転送回路）５２ＳＲ１及び駆動電極用のシフトレジスタ（第２の転送回路）５２ＳＲ２を含む。シフトレジスタ５２ＳＲ１は、タッチ用駆動信号ＶｃｏｍＡＣを印加する駆動電極ＣＯＭＬを選択するための転送回路出力ＳＲｏｕｔ（ｋ）、ＳＲｏｕｔ（ｋ＋１）、ＳＲｏｕｔ（ｋ＋２）、ＳＲｏｕｔ（ｋ＋３）・・・を生成するものである。具体的には、タッチ検出走査部５２は、シフトレジスタ５２ＳＲ１が走査制御部５１から供給された走査開始信号ＳＤＳＴをトリガーとして、駆動電極選択信号ＶＣＯＭＳＥＬに同期させて、順次シフトレジスタ５２ＳＲ１の次のシフトレジスタ５２ＳＲ２へ転送され、順次選択される。シフトレジスタ５２ＳＲ２は、空転送信号としての転送回路出力ＴＲＮ（ｋ）、ＴＲＮ（ｋ＋１）、ＴＲＮ（ｋ＋２）、ＴＲＮ（ｋ＋３）・・・を生成し、次のシフトレジスタ５２ＳＲ１へ転送する。
【００７９】
ここで、空転送とは、転送回路出力（シフトレジスタ出力）が選択スイッチＳＷ１（ＳＷ２、ＳＷ３、ＳＷ４）等の制御に利用されず、次段の転送回路又は次に接続される転送回路に入力されることを言う。
【００８０】
駆動電極選択信号ＶＣＯＭＳＥＬに同期して選択されたシフトレジスタ５２ＳＲ１は、転送回路出力ＳＲｏｕｔ（ｋ）、ＳＲｏｕｔ（ｋ＋１）、ＳＲｏｕｔ（ｋ＋２）、ＳＲｏｕｔ（ｋ＋３）・・・を、駆動部５３０の各増幅回路５４へ送出する。タッチ検出走査部５２は、選択されたシフトレジスタ５２ＳＲが例えば高レベルの信号をｋ＋２番目の転送回路出力ＳＲｏｕｔ（ｋ＋２）としてｋ＋２番目の駆動部５３（ｋ＋２）に供給した場合に、この駆動部５３（ｋ＋２）は、ｋ＋２番目の駆動電極ブロックＢ（ｋ＋２）に属する複数の駆動電極ＣＯＭＬに駆動信号ＶｃｏｍＡＣを印加するようになっている。以後、転送回路出力ＳＲｏｕｔ（ｋ）、ＳＲｏｕｔ（ｋ＋１）、ＳＲｏｕｔ（ｋ＋２）、ＳＲｏｕｔ（ｋ＋３）・・・のうち任意の１つをさす場合には、転送回路出力ＳＲｏｕｔを用いることがある。また、転送回路出力ＴＲＮ（ｋ）、ＴＲＮ（ｋ＋１）、ＴＲＮ（ｋ＋２）、ＴＲＮ（ｋ＋３）・・・のうち任意の１つをさす場合には、転送回路出力ＴＲＮを用いることがある。
【００８１】
駆動部５３０は、タッチ検出走査部５２から供給された転送回路出力ＳＲｏｕｔ、及び走査制御部５１から供給された駆動電極選択信号ＶＣＯＭＳＥＬに基づいて、駆動信号生成部１４Ｑから供給された表示用駆動電圧ＶｃｏｍＤＣまたはタッチ用駆動信号ＶｃｏｍＡＣを駆動電極ＣＯＭＬに印加する回路である。駆動部５３は、タッチ検出走査部５２の出力信号に対応して１つずつ設けられており、対応する駆動電極ブロックＢに対して駆動信号Ｖｃｏｍを印加するようになっている。
【００８２】
駆動部５３は、増幅回路５４と、駆動電極ブロックＢ毎に１つの選択スイッチＳＷ１（ＳＷ２、ＳＷ３、ＳＷ４）とを備えている。シフトレジスタ５２ＳＲ１から供給された転送回路出力ＳＲｏｕｔは、振幅レベルに増幅するバッファ機能を有する増幅回路５４を介して、選択スイッチＳＷ１（ＳＷ２、ＳＷ３、ＳＷ４）の動作を制御することができる。つまり、選択スイッチＳＷ１（ＳＷ２、ＳＷ３、ＳＷ４）は、シフトレジスタ５２ＳＲ１から供給される信号に基づいて動作が制御される。選択スイッチＳＷ１（ＳＷ２、ＳＷ３、ＳＷ４）の一端は、駆動電極ブロックＢが含む複数の駆動電極ＣＯＭＬに接続され、選択スイッチＳＷ１の他端は、表示用配線ＬＤＣ及びタッチ用配線ＬＡＣのうち一方と接続されている。
【００８３】
この構成により、駆動部５３は、転送回路出力ＳＲｏｕｔが高レベル、かつ駆動電極選択信号ＶＣＯＭＳＥＬが高レベルの場合に、タッチ用駆動信号ＶｃｏｍＡＣを駆動信号Ｖｃｏｍとして出力する。駆動部５３は、転送回路出力ＳＲｏｕｔが低レベルかつ、かつ駆動電極選択信号ＶＣＯＭＳＥＬが低レベルの場合に、駆動電極ブロックＢをタッチ用配線ＬＡＣから切り離し、表示用配線ＬＤＣに接続する。ここで、タッチ用駆動信号ＶｃｏｍＡＣの出力先として選択された駆動電極ブロックＢは、選択駆動電極ブロックＳＴＸである。タッチ用駆動信号ＶｃｏｍＡＣの出力先として選択されていない駆動電極ブロックＢは、非選択駆動電極ブロックＮＴＸである。例えば、図１７に示す駆動部５３（ｋ＋２）が、ｋ＋２番目の駆動電極ブロックＢ（ｋ＋２）に属する複数の駆動電極ＣＯＭＬに駆動信号ＶｃｏｍＡＣを印加するので、選択駆動電極ブロックＳＴＸは、駆動電極ブロックＢ（ｋ＋２）である。そして、駆動信号ＶｃｏｍＡＣの出力先として選択されていない駆動電極ブロックＢ（ｋ）、Ｂ（ｋ＋１）、Ｂ（ｋ＋３）は、非選択駆動電極ブロックＮＴＸである。
【００８４】
また、液晶表示デバイス２０が表示動作している場合、駆動部５３は、転送回路出力ＳＲｏｕｔが低レベルであって、駆動電極ブロックＢ毎に１つの選択スイッチＳＷ１（ＳＷ２、ＳＷ３、ＳＷ４）を全て表示用配線ＬＤＣに接続し、表示用駆動電圧ＶｃｏｍＤＣを駆動信号Ｖｃｏｍとして出力する。
【００８５】
図１８は、実施形態１に係る駆動電極ドライバの駆動部を示すブロック図である。図１８は、第１ゲートドライバ１２Ａ側の構成を説明するが、第２ゲートドライバ１２Ｂの構成も同様である。また、以下の説明は、選択スイッチＳＷ１を代表して説明するが、選択スイッチＳＷ２、ＳＷ３、ＳＷ４も同様である。第１ゲートドライバ１２Ａ（第２ゲートドライバ１２Ｂ）は、ゲートシフトレジスタ１２０ＳＲを含む。ゲートシフトレジスタ１２０ＳＲは、垂直スタートパルスＶＳＴに応答して動作を開始し、垂直クロックＶＣＫに同期して、順次垂直走査方向に選択され、バッファ回路を介して走査線ＧＣＬに垂直選択パルスを出力する。図１８に示すように、ゲートシフトレジスタ１２０ＳＲは、副画素ＳＰｉｘの数に応じて大きくなる。このため、走査線ＧＣＬの延びる方向と交差する方向であってタッチ用配線ＬＡＣが延びる方向において、１つの駆動電極ＣＯＭＬは、複数の副画素ＳＰｉｘと重なり合う。その結果、タッチ用配線ＬＡＣが延びる方向において、１つの駆動電極ＣＯＭＬと重なり合う複数の副画素ＳＰｉｘを走査するゲートシフトレジスタ１２０ＳＲの数は、駆動電極用のシフトレジスタ５２ＳＲ１の数よりも大きくなる。そこで、図１８に示すように、駆動電極用のシフトレジスタ５２ＳＲ１と、駆動電極用のシフトレジスタ５２ＳＲ２とは、タッチ用配線ＬＡＣが延びる方向にスペースがあることから並べることができる。このため、額縁領域Ｇｄには、駆動電極用のシフトレジスタ５２ＳＲ１に加え、額縁領域Ｇｄを増加しなくても駆動電極用のシフトレジスタ５２ＳＲ２を形成することができる。
【００８６】
選択スイッチＳＷ１は、駆動電極ＣＯＭＬ毎に複数備えられるスイッチＣＯＭＳＷを備えている。スイッチＣＯＭＳＷは、スイッチ制御信号Ｓｓｗ、Ｓｘｓｗに応じて、駆動電極ＣＯＭＬ毎に全て動作する。スイッチＣＯＭＳＷは、駆動電極ＣＯＭＬ毎に全て動作することで、タッチ用配線ＬＡＣと駆動電極ＣＯＭＬとの接続及び表示用配線ＬＤＣと駆動電極ＣＯＭＬとの接続のいずれか一方を時分割で選択する。
【００８７】
スイッチＣＯＭＳＷは、例えば、ＣＭＯＳスイッチＣＭＯＳ１と、ＣＭＯＳスイッチＣＭＯＳ２とが１つの回路単位とされた場合、複数の当該回路単位が駆動電極ＣＯＭＬ毎に設けられている。ＣＭＯＳスイッチＣＭＯＳ１と、ＣＭＯＳスイッチＣＭＯＳ２とは、Ｎチャネルのゲートを有するトランジスタＮＭＯＳと、Ｐチャネルのゲートを有するトランジスタＰＭＯＳとを有している。
【００８８】
ＣＭＯＳスイッチＣＭＯＳ１は、スイッチ信号線ＧＳＷがトランジスタＮＭＯＳ、トランジスタＰＭＯＳのゲートに接続される。ＣＭＯＳスイッチＣＭＯＳ２は、スイッチ信号線ＧｘＳＷがＣＭＯＳスイッチＣＭＯＳ２は、トランジスタＮＭＯＳ、トランジスタＰＭＯＳのゲートに接続される。スイッチ信号線ＧＳＷに供給されるスイッチ制御信号Ｓｓｗと、スイッチ信号線ＧｘＳＷに供給されるスイッチ制御信号Ｓｘｓｗとは、電位のハイレベルとローレベルとが互いに反転した信号である。このため、ＣＭＯＳスイッチＣＭＯＳ１、ＣＭＯＳスイッチＣＭＯＳ２は、タッチ用配線ＬＡＣと駆動電極ＣＯＭＬとの接続及び表示用配線ＬＤＣと駆動電極ＣＯＭＬとの接続のいずれか一方を同期して同じ選択をすることができる。このように、選択スイッチＳＷ１は、駆動電極ＣＯＭＬ毎に複数のスイッチＣＯＭＳＷを備え、スイッチＣＯＭＳＷがタッチ用配線ＬＡＣと駆動電極ＣＯＭＬとの間に並列に接続されている。複数のスイッチＣＯＭＳＷは、選択信号であるスイッチ制御信号Ｓｓｗ、Ｓｘｓｗに応じて、駆動電極ＣＯＭＬ毎に全て動作して、タッチ用配線ＬＡＣと駆動電極ＣＯＭＬとを接続し、タッチ用駆動信号ＶｃｏｍＡＣを印加する。
【００８９】
増幅回路５４は、インバータ、スイッチング回路、バッファ、を備えている。インバータは、転送回路出力ＳＲｏｕｔが高レベルの場合に駆動電極用のシフトレジスタ５２ＳＲ１のうち選択された転送段の転送回路出力ＳＲｏｕｔの反転論理を出力する。増幅回路５４は、駆動電極選択信号ＶＣＯＭＳＥＬに応じて、インバータの入力及び出力からスイッチングし、スイッチ制御信号Ｓｓｗをバッファに出力する。バッファは、スイッチ制御信号Ｓｓｗを増幅し、スイッチ信号線ＧＳＷに供給する。インバータは、バッファが出力するスイッチ制御信号Ｓｓｗの反転論理を生成して、スイッチ制御信号Ｓｘｓｗとして出力し、スイッチ信号線ＧｘＳＷに供給する。
【００９０】
ＣＭＯＳスイッチＣＭＯＳ１、ＣＭＯＳ２は、接続導体Ｑ３でタッチ用配線ＬＡＣと接続されている。また、ＣＭＯＳスイッチＣＭＯＳ１、ＣＭＯＳ２は、接続導体Ｑ２で表示用配線ＬＤＣと接続されている。ＣＭＯＳスイッチＣＭＯＳ１、ＣＭＯＳ２は、接続導体Ｑ１で、駆動電極ＣＯＭＬと接続されている。ＣＭＯＳスイッチＣＭＯＳ１、ＣＭＯＳ２は、トランジスタＮＭＯＳ、トランジスタＰＭＯＳのゲートに、スイッチ制御信号Ｓｓｗ、Ｓｘｓｗが入力されることで、接続導体Ｑ１と接続導体Ｑ２との接続及び接続導体Ｑ３と接続導体Ｑ１との接続のうちいずれか一方の接続を選択することができる。
【００９１】
図１８に示すように、走査線ＧＣＬは、スイッチ信号線ＧＳＷ、ＧｘＳＷと基本的には同層に配線され、走査線ＧＣＬと、スイッチ信号線ＧＳＷ、ＧｘＳＷとが交差する部分では、絶縁層を介して立体交差している。走査線ＧＣＬは、スイッチ信号線ＧＳＷ、ＧｘＳＷと同じトランジスタのゲート線であり、同じ工程で形成することで、製造工程を短縮することができる。走査線ＧＣＬは、タッチ用配線ＬＡＣ、表示用配線ＬＤＣと絶縁層を介して、立体交差している。そして、選択スイッチＳＷ１は、タッチ用配線ＬＡＣ（表示用配線ＬＤＣ）と立体交差する走査線ＧＣＬの間（例えば走査線ＧＣＬｍ＋１と走査線ＧＣＬｍ＋２との間）にある領域に配置されている。タッチ用配線ＬＡＣ（表示用配線ＬＤＣ）と立体交差する走査線ＧＣＬ同士の間隔は、表示領域Ａｄにおける隣り合う走査線ＧＣＬ同士の間隔と同じである。
【００９２】
（比較例）
図１９に示すように、タッチ検出走査部５２は、転送回路である、駆動電極用のシフトレジスタ５２ＳＲ１を含み、駆動電極用のシフトレジスタ５２ＳＲ２を含まない。駆動電極用のシフトレジスタ５２ＳＲ１は、タッチ用駆動信号ＶｃｏｍＡＣを印加する駆動電極ＣＯＭＬを選択するための転送回路出力ＳＲｏｕｔ（ｋ）、ＳＲｏｕｔ（ｋ＋１）、ＳＲｏｕｔ（ｋ＋２）、ＳＲｏｕｔ（ｋ＋３）・・・を生成するものである。具体的には、タッチ検出走査部５２は、シフトレジスタ５２ＳＲが走査制御部５１から供給された走査開始信号ＳＤＳＴをトリガーとして制御信号ＳＤＣＫ１、ＳＤＣＫ２に同期させて、順次シフトレジスタ５２ＳＲの転送段毎に転送され、順次選択される。選択されたシフトレジスタ５２ＳＲは、転送回路出力ＳＲｏｕｔ（ｋ）、ＳＲｏｕｔ（ｋ＋１）、ＳＲｏｕｔ（ｋ＋２）、ＳＲｏｕｔ（ｋ＋３）・・・を、駆動部５３０の各論理回路５５へ送出する。論理回路５５は、タッチ検出走査部５２から供給された転送回路出力ＳＲｏｕｔ、及び走査制御部５１から供給された駆動電極選択信号ＶＣＯＭＳＥＬの論理積（ＡＮＤ）を生成して出力する。論理回路５５は、選択スイッチＳＷ１（ＳＷ２、ＳＷ３、ＳＷ４）の動作を制御することができる振幅レベルに増幅するバッファ機能を有している。タッチ検出走査部５２は、選択されたシフトレジスタ５２ＳＲが例えば高レベルの信号をｋ＋２番目の転送回路出力ＳＲｏｕｔ（ｋ＋２）としてｋ＋２番目の駆動部５３（ｋ＋２）に供給した場合に、この駆動部５３（ｋ＋２）は、ｋ＋２番目の駆動電極ブロックＢ（ｋ＋２）に属する複数の駆動電極ＣＯＭＬに駆動信号ＶｃｏｍＡＣを印加するようになっている。
【００９３】
図２０に示すように、額縁領域Ｇｄのうち、表示用配線ＬＤＣ及びタッチ用配線ＬＡＣが占める幅Ｗｔｐ、駆動部５３の配線が占める領域の幅Ｗｔｘがあり、タッチ用配線ＬＡＣの抵抗を抑制したい要望がある。例えば、タッチ用配線ＬＡＣの抵抗は、出力端子６５Ｅより遠端の駆動電極ＣＯＭＬで最も大きくなることから、時定数に応じてタッチ用駆動信号ＶｃｏｍＡＣの波形のなまりが生じ、タッチ検出の精度に影響を与える可能性がある。時定数は、出力端子６５Ｅより遠端の駆動電極ＣＯＭＬの影響よりもタッチ用配線ＬＡＣの抵抗の影響が２倍程度影響する。このため、タッチ用配線ＬＡＣの幅を増加させ、出力端子６５Ｅより遠端の駆動電極ＣＯＭＬまでのタッチ用配線ＬＡＣの抵抗を抑制することが有効である。しかしながら、幅Ｗｔｐの増加は、額縁領域Ｇｄの増加に繋がり、表示領域に寄与しない、額縁が大きくなってしまう可能性がある。
【００９４】
図２０に示すように、幅Ｗｔｘには、走査開始信号ＳＤＳＴを伝送する制御信号線ＬＳＤＳＴ、制御信号ＳＤＣＫ１を伝送する制御信号線ＬＳＤＣＫ１、制御信号ＳＤＣＫ２を伝送する制御信号線ＬＳＤＣＫ２、駆動電極選択信号ＶＣＯＭＳＥＬを伝送する制御信号線ＬＶＣＯＭＳＥＬ、シフトレジスタ５２ＳＲ１の形成領域、シフトレジスタ５２ＳＲ１などを駆動するＬｏｇｉｃ電源用の論理回路用電源線ＬＰＷＡ、ＬＰＷＢ及び線間絶縁用のスペースが含まれる。制御信号線ＬＳＤＣＫ１、制御信号線ＬＳＤＣＫ２及び線間絶縁用のスペースの幅ΔＷＣＫは例えば、１５μｍ以上２０μｍ以下程度必要である。
【００９５】
図２０に示すように、実施形態１に係る幅Ｗｔｘには、走査開始信号ＳＤＳＴを伝送する制御信号線ＬＳＤＳＴ、駆動電極選択信号ＶＣＯＭＳＥＬを伝送する制御信号線ＬＶＣＯＭＳＥＬ、シフトレジスタ５２ＳＲ１の形成領域、シフトレジスタ５２ＳＲ１などを駆動するＬｏｇｉｃ電源用の論理回路用電源線ＬＰＷＡ、ＬＰＷＢ及び線間絶縁用のスペースが含まれる。実施形態１に係る幅Ｗｔｘには、制御信号ＳＤＣＫ１を伝送する制御信号線ＬＳＤＣＫ１、制御信号ＳＤＣＫ２を伝送する制御信号線ＬＳＤＣＫ２を含まないので、図２０に示す幅ΔＷＣＫの分だけ実施形態１に係る幅Ｗｔｘを抑制することができる。これにより、実施形態１に係る額縁領域Ｇｄは狭くすることができる。又は、タッチ用配線ＬＡＣは、図２０に示す幅ΔＷＣＫの分だけ図２１に示す幅Δｗｌを増加させる余地がある。図２０に示す幅ΔＷＣＫの分だけ図２１に示す幅Δｗｌを増加させる場合、タッチ用配線ＬＡＣの抵抗は低減される。その結果、タッチ用駆動信号ＶｃｏｍＡＣの波形のなまりが改善され、タッチ検出の精度が向上することができる。又は、タッチ用配線ＬＡＣは、図２０に示す幅ΔＷＣＫの一部だけ図２１に示す幅Δｗｌを増加させる場合、タッチ用駆動信号ＶｃｏｍＡＣの波形のなまりが改善され、タッチ検出の精度が向上し、額縁領域Ｇｄを狭くすることができる。
【００９６】
続いて、実施形態１のタッチ検出機能付き表示装置１の動作及び作用について説明する。以下の説明では、表示用の駆動信号としての駆動信号Ｖｃｏｍを、表示用駆動電圧ＶｃｏｍＤＣとして記載し、タッチ検出用の駆動信号としての駆動信号Ｖｃｏｍを、タッチ用駆動信号ＶｃｏｍＡＣとして記載する。
【００９７】
（タッチ検出機能付き表示装置動作）
次に、タッチ検出機能付き表示装置１の動作を説明する。図２２は、タッチ検出機能付き表示装置のタイミング波形例を示す説明図である。図２２に示すように、実施形態１に係るタッチ検出機能付き表示装置１は、タッチ検出動作（タッチ検出動作期間）と表示動作（表示期間）とに分けて、動作している。図２２に示すタッチ検出動作期間は、Ｔｏｕｃｈ  Ｔｅｒｍ１、Ｔｏｕｃｈ  Ｔｅｒｍ２、Ｔｏｕｃｈ  Ｔｅｒｍ３であり、表示期間は、Ｄｉｓｐｌｙ  Ｔｅｒｍ１、Ｄｉｓｐｌｙ  Ｔｅｒｍ２、Ｄｉｓｐｌｙ  Ｔｅｒｍ３である。そして、タッチ検出動作期間と、表示期間とは、交互に動作する。
【００９８】
走査開始信号ＳＤＳＴが入力されると、走査開始信号ＳＤＳＴをトリガーとして、駆動電極選択信号ＶＣＯＭＳＥＬの高レベルに同期させて、シフトレジスタ５２ＳＲ１が転送回路出力ＳＲｏｕｔ１を高レベルとして出力する。駆動部５３は、駆動電極選択信号ＶＣＯＭＳＥＬが高レベルの場合に、タッチ用駆動信号ＶｃｏｍＡＣを駆動信号Ｖｃｏｍの波形Ｔｘ１として出力する。シフトレジスタ５２ＳＲ１が転送回路出力ＳＲｏｕｔ１を低レベルとして出力すると、転送回路出力ＳＲｏｕｔ１を受けて、シフトレジスタ５２ＳＲ２が空転送し、転送回路出力ＴＲＮ１を出力する。駆動部５３は、駆動電極選択信号ＶＣＯＭＳＥＬが低レベルの場合に、タッチ用駆動信号ＶｃｏｍＡＣを表示用駆動信号ＶｃｏｍＤＣに切り替え、駆動信号Ｖｃｏｍとして出力する。
【００９９】
転送回路出力ＴＲＮ１の高レベルが信号遅れ分、次の駆動電極選択信号ＶＣＯＭＳＥＬの高レベルと重なり合うので、転送回路出力ＴＲＮ１の高レベルと、駆動電極選択信号ＶＣＯＭＳＥＬの高レベルとの論理積をトリガーとし、かつ駆動電極選択信号ＶＣＯＭＳＥＬの高レベルに同期させて、次のシフトレジスタ５２ＳＲ１が転送回路出力ＳＲｏｕｔ２を高レベルとして出力する。駆動部５３は、駆動電極選択信号ＶＣＯＭＳＥＬが高レベルの場合に、タッチ用駆動信号ＶｃｏｍＡＣを駆動信号Ｖｃｏｍの波形Ｔｘ２として出力する。シフトレジスタ５２ＳＲ１が転送回路出力ＳＲｏｕｔ２を低レベルとして出力すると、転送回路出力ＳＲｏｕｔ２を受けて、シフトレジスタ５２ＳＲ２が空転送し、転送回路出力ＴＲＮ２を出力する。駆動部５３は、駆動電極選択信号ＶＣＯＭＳＥＬが低レベルの場合に、タッチ用駆動信号ＶｃｏｍＡＣを表示用駆動信号ＶｃｏｍＤＣに切り替え、駆動信号Ｖｃｏｍとして出力する。
【０１００】
転送回路出力ＴＲＮ２の高レベルが信号遅れ分、次の駆動電極選択信号ＶＣＯＭＳＥＬの高レベルと重なり合うので、転送回路出力ＴＲＮ２の高レベルと、駆動電極選択信号ＶＣＯＭＳＥＬの高レベルとの論理積をトリガーとし、かつ駆動電極選択信号ＶＣＯＭＳＥＬの高レベルに同期させて、次のシフトレジスタ５２ＳＲ１が転送回路出力ＳＲｏｕｔ３を高レベルとして出力する。駆動部５３は、駆動電極選択信号ＶＣＯＭＳＥＬが高レベルの場合に、タッチ用駆動信号ＶｃｏｍＡＣを駆動信号Ｖｃｏｍの波形Ｔｘ３として出力する。シフトレジスタ５２ＳＲ１が転送回路出力ＳＲｏｕｔ３を低レベルとして出力すると、転送回路出力ＳＲｏｕｔ３を受けて、シフトレジスタ５２ＳＲ２が空転送し、転送回路出力ＴＲＮ３を出力する。駆動部５３は、駆動電極選択信号ＶＣＯＭＳＥＬが低レベルの場合に、タッチ用駆動信号ＶｃｏｍＡＣを表示用駆動信号ＶｃｏｍＤＣに切り替え、駆動信号Ｖｃｏｍとして出力する。以後、タッチ検出機能付き表示装置１の動作は、繰り返される。このように、タッチ検出の動作期間を識別する駆動電極選択信号ＶＣＯＭＳＥＬのレベルの変化に応じて、タッチ用駆動信号ＶｃｏｍＡＣが供給される選択駆動電極ブロックＳＴＸが選択される。
【０１０１】
（変形例）
図２３は、タッチ検出機能付き表示装置のタイミング波形の変形例を示す説明図である。図２３に示すように、実施形態１に係るタッチ検出機能付き表示装置１は、タッチ検出動作（タッチ検出動作期間）と表示動作（表示期間）とに分けて、動作している。図２２に示すタッチ検出動作期間は、Ｔｏｕｃｈ  Ｔｅｒｍ１、Ｔｏｕｃｈ  Ｔｅｒｍ２、Ｔｏｕｃｈ  Ｔｅｒｍ３であり、表示期間は、Ｄｉｓｐｌｙ  Ｔｅｒｍ１、Ｄｉｓｐｌｙ  Ｔｅｒｍ２、Ｄｉｓｐｌｙ  Ｔｅｒｍ３である。そして、タッチ検出動作期間と、表示期間とは、交互に動作する。
【０１０２】
走査開始信号ＳＤＳＴが入力されると、走査開始信号ＳＤＳＴをトリガーとして、駆動電極選択信号ＶＣＯＭＳＥＬの低レベルに同期させて、シフトレジスタ５２ＳＲ１が転送回路出力ＳＲｏｕｔ１を高レベルとして出力する。駆動部５３は、駆動電極選択信号ＶＣＯＭＳＥＬが低レベルの場合に、タッチ用駆動信号ＶｃｏｍＡＣを駆動信号Ｖｃｏｍの波形Ｔｘ１として出力する。シフトレジスタ５２ＳＲ１が転送回路出力ＳＲｏｕｔ１を低レベルとして出力すると、転送回路出力ＳＲｏｕｔ１を受けて、シフトレジスタ５２ＳＲ２が空転送し、転送回路出力ＴＲＮ１を出力する。駆動部５３は、駆動電極選択信号ＶＣＯＭＳＥＬが高レベルの場合に、タッチ用駆動信号ＶｃｏｍＡＣを表示用駆動信号ＶｃｏｍＤＣに切り替え、駆動信号Ｖｃｏｍとして出力する。
【０１０３】
転送回路出力ＴＲＮ１の高レベルが信号遅れ分、次の駆動電極選択信号ＶＣＯＭＳＥＬの低レベルと重なり合うので、転送回路出力ＴＲＮ１の高レベルと、駆動電極選択信号ＶＣＯＭＳＥＬの低レベルとの論理和をトリガーとし、かつ駆動電極選択信号ＶＣＯＭＳＥＬの低レベルに同期させて、次のシフトレジスタ５２ＳＲ１が転送回路出力ＳＲｏｕｔ２を高レベルとして出力する。駆動部５３は、駆動電極選択信号ＶＣＯＭＳＥＬが低レベルの場合に、タッチ用駆動信号ＶｃｏｍＡＣを駆動信号Ｖｃｏｍの波形Ｔｘ２として出力する。シフトレジスタ５２ＳＲ１が転送回路出力ＳＲｏｕｔ２を低レベルとして出力すると、転送回路出力ＳＲｏｕｔ２を受けて、シフトレジスタ５２ＳＲ２が空転送し、転送回路出力ＴＲＮ２を出力する。駆動部５３は、駆動電極選択信号ＶＣＯＭＳＥＬが高レベルの場合に、タッチ用駆動信号ＶｃｏｍＡＣを表示用駆動信号ＶｃｏｍＤＣに切り替え、駆動信号Ｖｃｏｍとして出力する。
【０１０４】
転送回路出力ＴＲＮ２の高レベルが信号遅れ分、次の駆動電極選択信号ＶＣＯＭＳＥＬの低レベルと重なり合うので、転送回路出力ＴＲＮ２の高レベルと、駆動電極選択信号ＶＣＯＭＳＥＬの低レベルとの論理和をトリガーとし、かつ駆動電極選択信号ＶＣＯＭＳＥＬの低レベルに同期させて、次のシフトレジスタ５２ＳＲ１が転送回路出力ＳＲｏｕｔ３を高レベルとして出力する。駆動部５３は、駆動電極選択信号ＶＣＯＭＳＥＬが低レベルの場合に、タッチ用駆動信号ＶｃｏｍＡＣを駆動信号Ｖｃｏｍの波形Ｔｘ３として出力する。シフトレジスタ５２ＳＲ１が転送回路出力ＳＲｏｕｔ３を低レベルとして出力すると、転送回路出力ＳＲｏｕｔ３を受けて、シフトレジスタ５２ＳＲ２が空転送し、転送回路出力ＴＲＮ３を出力する。駆動部５３は、駆動電極選択信号ＶＣＯＭＳＥＬが高レベルの場合に、タッチ用駆動信号ＶｃｏｍＡＣを表示用駆動信号ＶｃｏｍＤＣに切り替え、駆動信号Ｖｃｏｍとして出力する。以後、タッチ検出機能付き表示装置１の動作は、繰り返される。
【０１０５】
以上説明したように、実施形態１に係るタッチ検出機能付き表示装置１は、ＴＦＴ基板２１上に複数の画素電極がマトリックス状に配置された表示領域Ａｄと、画素電極と対向して設けられ、複数に分割された駆動電極ＣＯＭＬと、表示領域Ａｄに画像を表示する画像表示機能を有する表示機能層としての液晶層６と、を備える。実施形態１に係る制御装置は、制御部１１、ゲートドライバ１２、ソースドライバ１３、駆動電極ドライバ１４を含む。この制御装置は、画像信号に基づいて、画素電極と駆動電極ＣＯＭＬとの間に表示用駆動電圧ＶｃｏｍＤＣを印加して画像表示機能を発揮させるように画像表示制御を行う。そして、実施形態１に係るタッチ検出機能付き表示装置１は、駆動電極ＣＯＭＬと対向して、駆動電極ＣＯＭＬとの間に静電容量を形成するタッチ検出電極と、タッチ検出電極からの検出信号に基づき、近接する物体の位置を検出するタッチ検出部と、表示領域の外側に位置する額縁領域Ｇｄに配設され、タッチ用駆動信号ＶｃｏｍＡＣを駆動電極ＣＯＭＬに供給するタッチ用配線ＬＡＣと、タッチ用配線ＬＡＣと接続する駆動電極ＣＯＭＬを選択する、選択スイッチＳＷと、を備える。複数のシフトレジスタ５２ＳＲ１及び５２ＳＲ２は、第１の転送回路であるシフトレジスタ５２ＳＲ１と、第２の転送回路である５２ＳＲ２を備えている。第１の転送回路であるシフトレジスタ５２ＳＲ１は選択スイッチＳＷ１（ＳＷ２、ＳＷ３、ＳＷ４）を制御する転送回路である。第２の転送回路である５２ＳＲ２は、シフトレジスタ５２ＳＲ１へ転送回路出力を供給する。
【０１０６】
言い換えると、制御装置のうち駆動電極ドライバ１４の駆動電極走査部１４Ａ、１４Ｂは、スキャン方向Ｓｃａｎに、複数の駆動電極ＣＯＭＬのうちタッチ用駆動信号ＶｃｏｍＡＣを供給する駆動電極ＣＯＭＬを選択する。１つの駆動電極ＣＯＭＬを選択する駆動電極走査部１４Ａ、１４Ｂは、複数の駆動電極ＣＯＭＬのうちタッチ用駆動信号ＶｃｏｍＡＣを供給する駆動電極ＣＯＭＬを選択するため、複数の転送回路であるシフトレジスタ５２ＳＲ１及び５２ＳＲ２を額縁領域Ｇｄに備える。そして、当該複数のシフトレジスタ５２ＳＲ１及び５２ＳＲ２のうち一部であるシフトレジスタ５２ＳＲ１が選択スイッチＳＷ１（ＳＷ２、ＳＷ３、ＳＷ４）へ出力する転送回路である。
【０１０７】
これにより、実施形態１に係る額縁領域Ｇｄは狭くすることができる。また、額縁領域Ｇｄの回路全体を表示領域Ａｄへ寄せることもでき、水分侵入又は割れなど発生を抑制して品質を向上できる。又は、実施形態１に係る額縁領域Ｇｄは、タッチ用配線ＬＡＣの抵抗を低減させることもできる。その結果、タッチ用駆動信号ＶｃｏｍＡＣの波形のなまりが改善され、タッチ検出の精度が向上することができる。そして、制御信号ＳＤＣＫ１及びＳＤＣＫ２を発生させる回路が不要になり、ＣＯＧ１９の回路が小さくなることから、ＩＣの小型化に寄与できる。あるいは、実施形態１に係る額縁領域Ｇｄは、タッチ用配線ＬＡＣの抵抗を低減させ、かつ額縁領域Ｇｄを狭くすることもできる。
【０１０８】
複数のシフトレジスタ５２ＳＲ１及び５２ＳＲ２は、タッチ用配線ＬＡＣが延びる方向に並んで配置されている。これにより、額縁領域Ｇｄを広げることなく、配置することができる。なお、１つの駆動電極ＣＯＭＬを選択する駆動電極走査部１４Ａ、１４Ｂは、複数の駆動電極ＣＯＭＬのうちタッチ用駆動信号ＶｃｏｍＡＣを供給する駆動電極ＣＯＭＬを選択する複数の転送回路として、シフトレジスタ５２ＳＲ１及び５２ＳＲ２の２つを例示したが、数はこれに限定されない。例えば、１つの駆動電極ＣＯＭＬを選択する駆動電極走査部１４Ａ、１４Ｂは、シフトレジスタ５２ＳＲ１を１つ、５２ＳＲ２を２つの３つの転送回路を備えていてもよい。これにより、空転送の期間を長くすることができる。また、１つの駆動電極ＣＯＭＬを選択する駆動電極走査部１４Ａ、１４Ｂは、シフトレジスタ５２ＳＲ１を２つ以上備え、５２ＳＲ２を２つ以上備える、複数のの転送回路を備えていてもよい。
【０１０９】
画素電極を走査する表示用転送回路であるゲートシフトレジスタ１２０ＳＲが額縁領域Ｇｄにあり、１つの駆動電極ＣＯＭＬに重なり合う、画素電極を走査するためのゲートシフトレジスタ１２０ＳＲよりも、当該１つの駆動電極ＣＯＭＬに対して備えられる複数の複数のシフトレジスタ５２ＳＲ１及び５２ＳＲ２の数が少なくてもよい。これにより、額縁領域Ｇｄを広げることなく、配置することができる。
【０１１０】
表示用駆動電圧ＶｃｏｍＤＣを供給する表示用配線ＬＤＣと、タッチ用駆動信号ＶｃｏｍＡＣを供給するタッチ用配線ＬＡＣとが並列に配置されていている。これにより、額縁領域Ｇｄを有効に使用して、駆動電極ＣＯＭＬに電圧を供給できる。
【０１１１】
１つの駆動電極ＣＯＭＬに対して、複数の駆動電極ＣＯＭＬのうちタッチ用駆動信号ＶｃｏｍＡＣを供給する駆動電極ＣＯＭＬを選択する複数のシフトレジスタ５２ＳＲ１及び５２ＳＲ２が額縁領域Ｇｄに備えられ、当該複数のシフトレジスタ５２ＳＲ１及び５２ＳＲ２のうち、シフトレジスタ５２ＳＲ１と異なるシフトレジスタ５２ＳＲ２が空転送の転送回路出力ＴＲＮの信号を出力する転送回路である。これにより、タイミングパルスとしての制御信号ＳＤＣＫ１及びＳＤＣＫ２がなくても、図７に示すように、駆動電極ドライバ１４が、スキャン方向Ｓｃａｎに駆動電極ＣＯＭＬの駆動電極ブロックＢ（１検出ブロック）を走査できる。
【０１１２】
タッチ検出の動作期間を識別する駆動電極選択信号ＶＣＯＭＳＥＬが複数の転送回路である、複数のシフトレジスタ５２ＳＲ１及び５２ＳＲ２に入力されている。これにより、タイミングパルスとしての制御信号ＳＤＣＫ１及びＳＤＣＫ２がなくても、図７に示すように、駆動電極ドライバ１４が、スキャン方向Ｓｃａｎに駆動電極ＣＯＭＬの駆動電極ブロックＢ（１検出ブロック）を走査できる。
【０１１３】
タッチ検出の動作期間を識別する駆動電極選択信号ＶＣＯＭＳＥＬを伝送する制御信号線ＬＶＣＯＭＳＥＬが額縁領域Ｇｄに備えられ、当該制御信号線ＬＶＣＯＭＳＥＬが複数のシフトレジスタ５２ＳＲ１及び５２ＳＲ２に接続されている。これにより、額縁領域Ｇｄは狭くすることができる。又は、タッチ用配線ＬＡＣは、図２０に示す幅ΔＷＣＫの分だけ図２１に示す幅Δｗｌを増加させる余地がある。図２０に示す幅ΔＷＣＫの分だけ図２１に示す幅Δｗｌを増加させる場合、タッチ用配線ＬＡＣの抵抗は低減される。その結果、タッチ用駆動信号ＶｃｏｍＡＣの波形のなまりが改善され、タッチ検出の精度が向上することができる。
【０１１４】
（実施形態２）
次に、実施形態２に係るタッチ検出機能付き表示装置１について説明する。なお、上述した実施形態１で説明したものと同じ構成要素には同一の符号を付して重複する説明は省略する。図２４は、実施形態２に係る駆動電極ドライバを示すブロック図である。図２４に示すように、タッチ検出走査部５２は、シフトレジスタ５２ＳＲ２が走査制御部５１から供給された走査開始信号ＳＤＳＴをトリガーとして、空転送信号としての転送回路出力ＴＲＮ（ｋ）を生成し、次のシフトレジスタ５２ＳＲ１へ転送する。転送回路出力ＴＲＮ（ｋ）を転送されたシフトレジスタ５２ＳＲ１は、駆動電極選択信号ＶＣＯＭＳＥＬに同期させて、順次シフトレジスタ５２ＳＲ１の次のシフトレジスタ５２ＳＲ２へ転送され、順次選択される。シフトレジスタ５２ＳＲ２は、空転送信号としての転送回路出力ＴＲＮ（ｋ＋１）、ＴＲＮ（ｋ＋２）、ＴＲＮ（ｋ＋３）・・・を生成し、次のシフトレジスタ５２ＳＲ１へ転送する。
【０１１５】
次に、タッチ検出機能付き表示装置１の動作を説明する。図２５は、実施形態２に係るタッチ検出機能付き表示装置のタイミング波形例を示す説明図である。
【０１１６】
走査開始信号ＳＤＳＴが入力されると、走査開始信号ＳＤＳＴをトリガーとして、シフトレジスタ５２ＳＲ２が空転送し、転送回路出力ＴＲＮ１を出力する。転送回路出力ＴＲＮ１の高レベルが信号遅れ分、次の駆動電極選択信号ＶＣＯＭＳＥＬの高レベルと重なり合うので、転送回路出力ＴＲＮ１の高レベルと、駆動電極選択信号ＶＣＯＭＳＥＬの高レベルとの論理積をトリガーとし、かつ駆動電極選択信号ＶＣＯＭＳＥＬの高レベルに同期させて、次のシフトレジスタ５２ＳＲ１が転送回路出力ＳＲｏｕｔ１を高レベルとして出力する。駆動部５３は、駆動電極選択信号ＶＣＯＭＳＥＬが高レベルの場合に、タッチ用駆動信号ＶｃｏｍＡＣを駆動信号Ｖｃｏｍの波形Ｔｘ１として出力する。シフトレジスタ５２ＳＲ１が転送回路出力ＳＲｏｕｔ１を低レベルとして出力すると、転送回路出力ＳＲｏｕｔ１を受けて、シフトレジスタ５２ＳＲ２が空転送し、転送回路出力ＴＲＮ２を出力する。駆動部５３は、駆動電極選択信号ＶＣＯＭＳＥＬが低レベルの場合に、タッチ用駆動信号ＶｃｏｍＡＣを表示用駆動信号ＶｃｏｍＤＣに切り替え、駆動信号Ｖｃｏｍとして出力する。
【０１１７】
転送回路出力ＴＲＮ２の高レベルが信号遅れ分、次の駆動電極選択信号ＶＣＯＭＳＥＬの高レベルと重なり合うので、転送回路出力ＴＲＮ２の高レベルと、駆動電極選択信号ＶＣＯＭＳＥＬの高レベルとの論理積をトリガーとし、かつ駆動電極選択信号ＶＣＯＭＳＥＬの高レベルに同期させて、次のシフトレジスタ５２ＳＲ１が転送回路出力ＳＲｏｕｔ２を高レベルとして出力する。駆動部５３は、駆動電極選択信号ＶＣＯＭＳＥＬが高レベルの場合に、タッチ用駆動信号ＶｃｏｍＡＣを駆動信号Ｖｃｏｍの波形Ｔｘ２として出力する。シフトレジスタ５２ＳＲ１が転送回路出力ＳＲｏｕｔ２を低レベルとして出力すると、転送回路出力ＳＲｏｕｔ２を受けて、シフトレジスタ５２ＳＲ２が空転送し、転送回路出力ＴＲＮ３を出力する。駆動部５３は、駆動電極選択信号ＶＣＯＭＳＥＬが低レベルの場合に、タッチ用駆動信号ＶｃｏｍＡＣを表示用駆動信号ＶｃｏｍＤＣに切り替え、駆動信号Ｖｃｏｍとして出力する。
【０１１８】
転送回路出力ＴＲＮ３の高レベルが信号遅れ分、次の駆動電極選択信号ＶＣＯＭＳＥＬの高レベルと重なり合うので、転送回路出力ＴＲＮ３の高レベルと、駆動電極選択信号ＶＣＯＭＳＥＬの高レベルとの論理積をトリガーとし、かつ駆動電極選択信号ＶＣＯＭＳＥＬの高レベルに同期させて、次のシフトレジスタ５２ＳＲ１が転送回路出力ＳＲｏｕｔ３を高レベルとして出力する。駆動部５３は、駆動電極選択信号ＶＣＯＭＳＥＬが高レベルの場合に、タッチ用駆動信号ＶｃｏｍＡＣを駆動信号Ｖｃｏｍの波形Ｔｘ３として出力する。シフトレジスタ５２ＳＲ１が転送回路出力ＳＲｏｕｔ３を低レベルとして出力すると、転送回路出力ＳＲｏｕｔ３を受けて、シフトレジスタ５２ＳＲ２が空転送し、転送回路出力ＴＲＮ３を出力する。駆動部５３は、駆動電極選択信号ＶＣＯＭＳＥＬが低レベルの場合に、タッチ用駆動信号ＶｃｏｍＡＣを表示用駆動信号ＶｃｏｍＤＣに切り替え、駆動信号Ｖｃｏｍとして出力する。以後、タッチ検出機能付き表示装置１の動作は、繰り返される。
【０１１９】
（変形例）
図２６は、実施形態２の変形例に係る駆動電極ドライバを示すブロック図である。図２７は、実施形態２の変形例に係るタッチ検出機能付き表示装置のタイミング波形例を示す説明図である。実施形態２の変形例に係る駆動電極ドライバにおいて、図２６に示すように、走査開始信号ＳＤＳＴを取得する初段のシフトレジスタは、シフトレジスタ５２ＳＲ１である。これにより、回路数が削減される。
【０１２０】
このため、図２７に示すように、走査開始信号ＳＤＳＴが入力されると、走査開始信号ＳＤＳＴをトリガーとして、シフトレジスタ５２ＳＲ１が駆動電極選択信号ＶＣＯＭＳＥＬの高レベルに同期させて、転送回路出力ＳＲｏｕｔ１を高レベルとして出力する。駆動部５３は、駆動電極選択信号ＶＣＯＭＳＥＬが高レベルの場合に、タッチ用駆動信号ＶｃｏｍＡＣを駆動信号Ｖｃｏｍの波形Ｔｘ１として出力する。シフトレジスタ５２ＳＲ１が転送回路出力ＳＲｏｕｔ１を低レベルとして出力すると、転送回路出力ＳＲｏｕｔ１を受けて、シフトレジスタ５２ＳＲ２が空転送し、転送回路出力ＴＲＮ２を出力する。駆動部５３は、駆動電極選択信号ＶＣＯＭＳＥＬが低レベルの場合に、タッチ用駆動信号ＶｃｏｍＡＣを表示用駆動信号ＶｃｏｍＤＣに切り替え、駆動信号Ｖｃｏｍとして出力する。
【０１２１】
転送回路出力ＴＲＮ２の高レベルが信号遅れ分、次の駆動電極選択信号ＶＣＯＭＳＥＬの高レベルと重なり合うので、転送回路出力ＴＲＮ２の高レベルと、駆動電極選択信号ＶＣＯＭＳＥＬの高レベルとの論理積をトリガーとし、かつ駆動電極選択信号ＶＣＯＭＳＥＬの高レベルに同期させて、次のシフトレジスタ５２ＳＲ１が転送回路出力ＳＲｏｕｔ２を高レベルとして出力する。駆動部５３は、駆動電極選択信号ＶＣＯＭＳＥＬが高レベルの場合に、タッチ用駆動信号ＶｃｏｍＡＣを駆動信号Ｖｃｏｍの波形Ｔｘ２として出力する。シフトレジスタ５２ＳＲ１が転送回路出力ＳＲｏｕｔ２を低レベルとして出力すると、転送回路出力ＳＲｏｕｔ２を受けて、シフトレジスタ５２ＳＲ２が空転送し、転送回路出力ＴＲＮ３を出力する。駆動部５３は、駆動電極選択信号ＶＣＯＭＳＥＬが低レベルの場合に、タッチ用駆動信号ＶｃｏｍＡＣを表示用駆動信号ＶｃｏｍＤＣに切り替え、駆動信号Ｖｃｏｍとして出力する。
【０１２２】
転送回路出力ＴＲＮ３の高レベルが信号遅れ分、次の駆動電極選択信号ＶＣＯＭＳＥＬの高レベルと重なり合うので、転送回路出力ＴＲＮ３の高レベルと、駆動電極選択信号ＶＣＯＭＳＥＬの高レベルとの論理積をトリガーとし、かつ駆動電極選択信号ＶＣＯＭＳＥＬの高レベルに同期させて、次のシフトレジスタ５２ＳＲ１が転送回路出力ＳＲｏｕｔ３を高レベルとして出力する。駆動部５３は、駆動電極選択信号ＶＣＯＭＳＥＬが高レベルの場合に、タッチ用駆動信号ＶｃｏｍＡＣを駆動信号Ｖｃｏｍの波形Ｔｘ３として出力する。シフトレジスタ５２ＳＲ１が転送回路出力ＳＲｏｕｔ３を低レベルとして出力すると、転送回路出力ＳＲｏｕｔ３を受けて、シフトレジスタ５２ＳＲ２が空転送し、転送回路出力ＴＲＮ３を出力する。駆動部５３は、駆動電極選択信号ＶＣＯＭＳＥＬが低レベルの場合に、タッチ用駆動信号ＶｃｏｍＡＣを表示用駆動信号ＶｃｏｍＤＣに切り替え、駆動信号Ｖｃｏｍとして出力する。以後、タッチ検出機能付き表示装置１の動作は、繰り返される。
【０１２３】
（実施形態３）
次に、実施形態３に係るタッチ検出機能付き表示装置１について説明する。なお、上述した実施形態１で説明したものと同じ構成要素には同一の符号を付して重複する説明は省略する。図２８は、実施形態３に係る駆動電極ドライバを示すブロック図である。図２９は、実施形態３に係る駆動電極ドライバの駆動信号生成部を示すブロック図である。
【０１２４】
図２８に示すように、実施形態３に係る駆動部５３は、実施形態１で説明する論理回路５５を備えている。これにより、図２９に示すように、駆動信号生成部１４Ｑは、高レベル電圧生成部６１と、低レベル電圧生成部６２と、バッファ６３、６４とを備えている。高レベル電圧生成部６１は、バッファ６３を介して高レベル駆動信号ＶｃｏｍＤＣＨの高レベルの直流電圧を出力端子６５Ｅに出力する。低レベル電圧生成部６２は、バッファ６４を介して表示用駆動電圧ＶｃｏｍＤＣの直流電圧を出力端子６６Ｅに出力する。図２８に示すように、論理回路５５は、タッチ検出走査部５２から供給された転送回路出力ＳＲｏｕｔ、及び走査制御部５１から供給された駆動制御信号ＥＸＶＣＯＭの論理積（ＡＮＤ）を生成して出力する。論理回路５５は、選択スイッチＳＷ１（ＳＷ２、ＳＷ３、ＳＷ４）の動作を制御することができる振幅レベルに増幅するバッファ機能を有している。タッチ検出走査部５２は、選択されたシフトレジスタ５２ＳＲが例えば高レベルの信号をｋ＋２番目の転送回路出力ＳＲｏｕｔ（ｋ＋２）としてｋ＋２番目の駆動部５３（ｋ＋２）に供給した場合に、この駆動部５３（ｋ＋２）は、ｋ＋２番目の駆動電極ブロックＢ（ｋ＋２）に属する複数の駆動電極ＣＯＭＬに駆動信号ＶｃｏｍＡＣを印加するようになっている。論理回路５５の出力は、駆動制御信号ＥＸＶＣＯＭが高レベルの場合に選択スイッチＳＷ１（ＳＷ２、ＳＷ３、ＳＷ４）の動作を制御し、出力端子６５Ｅから供給された電圧を駆動電極ＣＯＭＬに出力する。論理回路５５の出力は、駆動制御信号ＥＸＶＣＯＭが低レベルの場合に選択スイッチＳＷ１（ＳＷ２、ＳＷ３、ＳＷ４）の動作を制御し、出力端子６６Ｅから供給された電圧を駆動電極ＣＯＭＬに出力する。その結果、駆動制御信号ＥＸＶＣＯＭが高レベルの場合と駆動制御信号ＥＸＶＣＯＭが低レベルの場合とを交互に繰り返し、タッチ用駆動信号ＶｃｏｍＡＣが生成される。論理回路５５は、駆動制御信号ＥＸＶＣＯＭに基づいて、駆動制御信号ＥＸＶＣＯＭが低レベルの場合に、バッファ６４から供給された電圧を表示用駆動電圧ＶｃｏｍＤＣの直流電圧として出力する。
【０１２５】
実施形態３に係るタッチ検出機能付き表示装置１には、制御信号ＳＤＣＫ１を伝送する制御信号線ＬＳＤＣＫ１、制御信号ＳＤＣＫ２を伝送する制御信号線ＬＳＤＣＫ２を含まないので、図２０に示す幅ΔＷＣＫの分だけ実施形態３に係る幅Ｗｔｘを抑制することができる。そこで、タッチ用配線ＬＡＣは、図２０に示す幅ΔＷＣＫの分だけ幅を増加させる余地がある。図２０に示す幅ΔＷＣＫの分だけ、タッチ用配線ＬＡＣの幅を増加させる場合、タッチ用配線ＬＡＣの抵抗は低減される。その結果、タッチ用駆動信号ＶｃｏｍＡＣの波形のなまりが改善され、タッチ検出の精度が向上することができる。又は、タッチ用配線ＬＡＣは、図２０に示す幅ΔＷＣＫの一部だけ図２１に示す幅Δｗｌを増加させる場合、タッチ用駆動信号ＶｃｏｍＡＣの波形のなまりが改善され、タッチ検出の精度が向上し、額縁領域Ｇｄを狭くすることができる。
【０１２６】
次に、タッチ検出機能付き表示装置１の動作を説明する。図３０は、実施形態３に係るタッチ検出機能付き表示装置のタイミング波形例を示す説明図である。
【０１２７】
走査開始信号ＳＤＳＴが入力されると、走査開始信号ＳＤＳＴをトリガーとして、駆動電極選択信号ＶＣＯＭＳＥＬの高レベルに同期させて、シフトレジスタ５２ＳＲ１が転送回路出力ＳＲｏｕｔ１を高レベルとして出力する。駆動部５３は、駆動電極選択信号ＶＣＯＭＳＥＬが高レベルの場合に、走査制御部５１より供給される駆動制御信号ＥＸＶＣＯＭに基づいて、駆動制御信号ＥＸＶＣＯＭが高レベルの場合と駆動制御信号ＥＸＶＣＯＭが低レベルの場合とを交互に繰り返し、高レベル駆動信号ＶｃｏｍＤＣＨと表示用駆動電圧ＶｃｏｍＤＣとからタッチ用駆動信号ＶｃｏｍＡＣを生成し、このタッチ用駆動信号ＶｃｏｍＡＣを駆動信号Ｖｃｏｍの波形Ｔｘ１として出力する。シフトレジスタ５２ＳＲ１が転送回路出力ＳＲｏｕｔ１を低レベルとして出力すると、転送回路出力ＳＲｏｕｔ２を受けて、シフトレジスタ５２ＳＲ２が空転送し、転送回路出力ＴＲＮ１を出力する。駆動部５３は、駆動電極選択信号ＶＣＯＭＳＥＬが低レベルの場合に、タッチ用駆動信号ＶｃｏｍＡＣを表示用駆動信号ＶｃｏｍＤＣに切り替え、駆動信号Ｖｃｏｍとして出力する。
【０１２８】
転送回路出力ＴＲＮ１の高レベルが信号遅れ分、次の駆動電極選択信号ＶＣＯＭＳＥＬの高レベルと重なり合うので、転送回路出力ＴＲＮ１の高レベルと、駆動電極選択信号ＶＣＯＭＳＥＬの高レベルとの論理積をトリガーとし、かつ駆動電極選択信号ＶＣＯＭＳＥＬの高レベルに同期させて、次のシフトレジスタ５２ＳＲ１が転送回路出力ＳＲｏｕｔ２を高レベルとして出力する。駆動部５３は、駆動電極選択信号ＶＣＯＭＳＥＬが高レベルの場合に、タッチ用駆動信号ＶｃｏｍＡＣを生成し、このタッチ用駆動信号ＶｃｏｍＡＣを駆動信号Ｖｃｏｍの波形Ｔｘ２として出力する。シフトレジスタ５２ＳＲ１が転送回路出力ＳＲｏｕｔ２を低レベルとして出力すると、転送回路出力ＳＲｏｕｔ１を受けて、シフトレジスタ５２ＳＲ２が空転送し、転送回路出力ＴＲＮ２を出力する。駆動部５３は、駆動電極選択信号ＶＣＯＭＳＥＬが低レベルの場合に、タッチ用駆動信号ＶｃｏｍＡＣを表示用駆動信号ＶｃｏｍＤＣに切り替え、駆動信号Ｖｃｏｍとして出力する。
【０１２９】
転送回路出力ＴＲＮ２の高レベルが信号遅れ分、次の駆動電極選択信号ＶＣＯＭＳＥＬの高レベルと重なり合うので、転送回路出力ＴＲＮ２の高レベルと、駆動電極選択信号ＶＣＯＭＳＥＬの高レベルとの論理積をトリガーとし、かつ駆動電極選択信号ＶＣＯＭＳＥＬの高レベルに同期させて、次のシフトレジスタ５２ＳＲ１が転送回路出力ＳＲｏｕｔ３を高レベルとして出力する。駆動部５３は、駆動電極選択信号ＶＣＯＭＳＥＬが高レベルの場合に、タッチ用駆動信号ＶｃｏｍＡＣを生成し、このタッチ用駆動信号ＶｃｏｍＡＣを駆動信号Ｖｃｏｍの波形Ｔｘ３として出力する。シフトレジスタ５２ＳＲ１が転送回路出力ＳＲｏｕｔ３を低レベルとして出力すると、転送回路出力ＳＲｏｕｔ３を受けて、シフトレジスタ５２ＳＲ２が空転送し、転送回路出力ＴＲＮ３を出力する。駆動部５３は、駆動電極選択信号ＶＣＯＭＳＥＬが低レベルの場合に、タッチ用駆動信号ＶｃｏｍＡＣを表示用駆動信号ＶｃｏｍＤＣに切り替え、駆動信号Ｖｃｏｍとして出力する。以後、タッチ検出機能付き表示装置１の動作は、繰り返される。
【０１３０】
以上説明したように、実施形態３に係るタッチ検出機能付き表示装置１は、表示用駆動電圧ＶｃｏｍＤＣを供給する表示用配線ＬＤＣと、表示用駆動電圧ＶｃｏｍＤＣよりも電圧の高い一定電圧を供給するタッチ用配線ＶｃｏｍＡＣとが並列に配置されていている。これにより、額縁領域Ｇｄを有効に使用して、駆動電極ＣＯＭＬに電圧を供給できる。
【０１３１】
（実施形態４）
次に、実施形態４に係るタッチ検出機能付き表示装置１について説明する。なお、上述した実施形態１で説明したものと同じ構成要素には同一の符号を付して重複する説明は省略する。図３１は、実施形態４に係る駆動電極ドライバの駆動信号生成部を示すブロック図である。図３２は、実施形態４に係る駆動電極ドライバを示すブロック図である。図３３は、実施形態４に係るタッチ検出機能付き表示装置１のタイミング波形例を示す説明図である。
【０１３２】
図３１は、実施形態４に係る駆動電極ドライバの駆動信号生成部を示すブロック図である。駆動信号生成部１４Ｑは、高レベル電圧生成部６１と、低レベル電圧生成部６２と、バッファ６３、６４と、スイッチング回路６５とを備えている。
【０１３３】
高レベル電圧生成部６１は、駆動信号ＶｃｏｍＡＣの高レベル電圧を生成する。低レベル電圧生成部６２は、表示用駆動電圧ＶｃｏｍＤＣの直流電圧を生成する。この低レベル電圧生成部６２が生成した電圧は、駆動信号ＶｃｏｍＡＣの低レベル電圧としても使用される。バッファ６３は、高レベル電圧生成部６１から供給された電圧を、インピーダンス変換を行いつつ出力し、スイッチング回路６５に供給する。バッファ６４は、低レベル電圧生成部６２から供給された電圧を、インピーダンス変換を行いつつ出力し、スイッチング回路６５に供給する。スイッチング回路６５は、駆動制御信号ＥＸＶＣＯＭに基づいて、駆動制御信号ＥＸＶＣＯＭが高レベルの場合と駆動制御信号ＥＸＶＣＯＭが低レベルの場合とを交互に繰り返し、駆動信号ＶｃｏｍＡＣを生成する。スイッチング回路６５は、駆動制御信号ＥＸＶＣＯＭが高レベルの場合に、バッファ６３から供給された電圧を出力し、駆動制御信号ＥＸＶＣＯＭが低レベルの場合に、バッファ６４から供給された電圧を出力する。スイッチング回路６５は、駆動制御信号ＥＸＶＣＯＭに基づいて、駆動制御信号ＥＸＶＣＯＭが低レベルの場合に、バッファ６４から供給された電圧を表示用駆動電圧ＶｃｏｍＤＣの直流電圧として出力する。バッファ６３、６４は、例えばボルテージフォロワにより構成される。なお、スイッチング回路６５の出力する電圧は、出力端子６５Ｅに出力される。
【０１３４】
図３２は、実施形態４に係る駆動電極ドライバを示すブロック図である。駆動電極走査部１４Ａ、１４Ｂは、走査制御部５１と、タッチ検出走査部５２と、駆動部５３０とを備えている。駆動部５３０は、駆動電極ブロックＢと同じ数の駆動部５３（ｋ）〜５３（ｋ＋３）を備えている。走査制御部５１は、ＣＯＧ１９に実装されている。また、タッチ検出走査部５２と、駆動部５３０とは、表示領域Ａｄの周囲にある額縁に配置されている。以後、複数の駆動部５３（ｋ）〜５３（ｋ＋３）のうちの任意の１つをさす場合には、単に駆動部５３を用いるものとする。
【０１３５】
走査制御部５１は、制御部１１より供給された制御信号に基づいて、タッチ検出走査部５２に対して走査開始信号ＳＤＳＴを供給する。また、配線ＬＣＣは、出力端子より、上述した駆動信号生成部１４Ｑから出力端子６５Ｅを介して出力された、表示用駆動電圧ＶｃｏｍＤＣ及び駆動信号ＶｃｏｍＡＣのうちの一方が供給される。走査制御部５１は、駆動電極選択信号ＶＣＯＭＳＥＬを、駆動部５３０に対して供給する。駆動電極選択信号ＶＣＯＭＳＥＬは、駆動信号生成部１４Ｑから配線ＬＣＣを経由して駆動電極ＣＯＭＬへ駆動信号ＶｃｏｍＡＣを供給する期間を識別するための信号である。
【０１３６】
タッチ検出走査部５２は、シフトレジスタ５２ＳＲ１、５２ＳＲ２を含んでおり、駆動信号ＶｃｏｍＡＣを印加する駆動電極ＣＯＭＬを選択するための転送回路出力ＳＲｏｕｔ（ｋ）、ＳＲｏｕｔ（ｋ＋１）、ＳＲｏｕｔ（ｋ＋２）、ＳＲｏｕｔ（ｋ＋３）・・・を生成するものである。具体的には、タッチ検出走査部５２は、シフトレジスタ５２ＳＲ１が走査制御部５１から供給された走査開始信号ＳＤＳＴをトリガーとして、駆動電極選択信号ＶＣＯＭＳＥＬに同期させて、順次シフトレジスタ５２ＳＲ１の次のシフトレジスタ５２ＳＲ２へ転送され、順次選択される。シフトレジスタ５２ＳＲ２は、空転送信号としての転送回路出力ＴＲＮ（ｋ）、ＴＲＮ（ｋ＋１）、ＴＲＮ（ｋ＋２）、ＴＲＮ（ｋ＋３）・・・を生成し、次のシフトレジスタ５２ＳＲ１へ転送する。
【０１３７】
駆動電極選択信号ＶＣＯＭＳＥＬに同期して選択されたシフトレジスタ５２ＳＲ１は、転送回路出力ＳＲｏｕｔ（ｋ）、ＳＲｏｕｔ（ｋ＋１）、ＳＲＯＵＴ（ｋ＋２）、ＳＲｏｕｔ（ｋ＋３）・・・を、駆動部５３０の各増幅回路５４へ送出する。タッチ検出走査部５２は、選択されたシフトレジスタ５２ＳＲが例えば高レベルの信号をｋ＋２番目の転送回路出力ＳＲｏｕｔ（ｋ＋２）としてｋ＋２番目の駆動部５３（ｋ＋２）に供給した場合に、この駆動部５３（ｋ＋２）は、ｋ＋２番目の駆動電極ブロックＢ（ｋ＋２）に属する複数の駆動電極ＣＯＭＬに駆動信号ＶｃｏｍＡＣを印加するようになっている。
【０１３８】
図３３に示すように、実施形態４に係るタッチ検出機能付き表示装置１は、タッチ検出動作（タッチ検出動作期間Ｐｔ）と表示動作（表示期間Ｐｄ）とに分けて、時分割的に駆動電極ＣＯＭＬに駆動信号Ｖｃｏｍ（表示用駆動電圧ＶｃｏｍＤＣ及び駆動信号ＶｃｏｍＡＣ）を供給する。
【０１３９】
駆動電極ＣＯＭＬは、液晶表示デバイス２０の駆動電極として機能するとともに、タッチ検出デバイス３０の駆動電極としても機能するため、駆動信号Ｖｃｏｍが互いに影響を及ぼす可能性がある。このため、駆動電極ＣＯＭＬは、表示動作を行う表示動作期間Ｐｄと、タッチ検出動作を行うタッチ検出動作期間Ｐｔとに分けて駆動信号Ｖｃｏｍが印加される。駆動電極ドライバ１４は、表示動作を行う表示動作期間Ｐｄにおいては表示用駆動電圧として駆動信号Ｖｃｏｍを印加する。そして、駆動電極ドライバ１４は、タッチ検出動作を行うタッチ検出動作期間Ｐｔにおいてはタッチ駆動信号として駆動信号Ｖｃｏｍを印加する。このように、タッチ検出機能付き表示装置１では、時間をずらして、表示用駆動電圧ＶｃｏｍＤＣと駆動信号ＶｃｏｍＡＣとを同じ配線ＬＣＣに供給する。駆動信号ＶｃｏｍＡＣの波形は、駆動制御信号ＥＸＶＣＯＭの矩形波に同期した波形となる。
【０１４０】
また、図３３に示すように、タッチ検出動作では、選択駆動電極ブロックＳＴＸのスイッチＳＷｘの１つがオン動作（閉動作）し、駆動信号ＶｃｏｍＡＣの矩形波を印加することにより、タッチ検出の走査を行う。また、タッチ検出動作では、非選択駆動電極ブロックＮＴＸの選択スイッチＳＷｘの全てがオフ動作（開動作）し、非選択駆動電極ブロックＮＴＸの電位を固定しない、フローティング状態とする。この場合、非選択駆動電極ブロックＮＴＸの選択スイッチＳＷｘの全てを十分にオフ状態とするため、非選択駆動電極ブロックＮＴＸの選択スイッチＳＷｘのゲート電位を調整しておくことが好ましい。
【０１４１】
タッチ検出機能付き表示装置１は、表示期間Ｐｄにおいて、全てのＳＷ１〜ＳＷ４をオン動作し、駆動電極ＣＯＭＬに対して表示用駆動電圧ＶｃｏｍＤＣを印加する。以上説明したように、実施形態４に係るタッチ検出機能付き表示装置１は、制御装置が、時間をずらして表示用駆動電圧ＶｃｏｍＤＣとタッチ用駆動信号ＶｃｏｍＡＣとを同じタッチ用記配線ＬＣＣに供給している。このため、実施形態４に係るタッチ検出機能付き表示装置１は、さらに額縁領域Ｇｄを抑制できる。これにより、額縁領域の回路全体を表示領域Ａｄへ寄せることもでき、水分侵入又は割れなど発生を抑制して品質を向上できる。又は、実施形態１に係る額縁領域Ｇｄは、タッチ用配線ＬＡＣの抵抗を低減させることもできる。その結果、タッチ用駆動信号ＶｃｏｍＡＣの波形のなまりが改善され、タッチ検出の精度が向上することができる。そして、制御信号ＳＤＣＫ及びＳＤＣＫ２を発生させる回路が不要になり、ＣＯＧ１９の回路が小さくなることから、ＩＣの小型化に寄与できる。あるいは、実施形態４に係る額縁領域Ｇｄは、タッチ用配線ＬＡＣの抵抗を低減させ、かつ額縁領域Ｇｄを狭くすることもできる。
【０１４２】
（実施形態５）
次に、実施形態５に係るタッチ検出機能付き表示装置１について説明する。なお、上述した実施形態１から４で説明したものと同じ構成要素には同一の符号を付して重複する説明は省略する。図３４は、実施形態５に係る駆動電極ドライバの駆動信号生成部を示すブロック図である。図３５は、実施形態５に係るタッチ検出機能付き表示装置１のタイミング波形例を示す説明図である。
【０１４３】
図３４に示すように、タッチ検出走査部５２は、転送回路である、駆動電極用のシフトレジスタ５２ＳＲ１、駆動電極用のシフトレジスタ５２ＳＲ２を含む。駆動電極用のシフトレジスタ５２ＳＲ１は、タッチ用駆動信号ＶｃｏｍＡＣを印加する駆動電極ＣＯＭＬを選択するための転送回路出力ＳＲｏｕｔ（ｋ）、ＳＲｏｕｔ（ｋ＋１）、ＳＲｏｕｔ（ｋ＋２）、ＳＲｏｕｔ（ｋ＋３）・・・を生成するものである。具体的には、タッチ検出走査部５２は、シフトレジスタ５２ＳＲ１が走査制御部５１から供給された走査開始信号ＳＤＳＴをトリガーとして制御信号ＳＤＣＫ１に同期させて、順次シフトレジスタ５２ＳＲの転送段毎に転送され、順次選択される。選択されたシフトレジスタ５２ＳＲ１は、転送回路出力ＳＲｏｕｔ（ｋ）、ＳＲｏｕｔ（ｋ＋１）、ＳＲｏｕｔ（ｋ＋２）、ＳＲｏｕｔ（ｋ＋３）・・・を、駆動部５３０の各論理回路５５へ送出する。論理回路５５は、タッチ検出走査部５２から供給された転送回路出力ＳＲｏｕｔ、及び走査制御部５１から供給された駆動電極選択信号ＶＣＯＭＳＥＬの論理積（ＡＮＤ）を生成して出力する。つまり、シフトレジスタ５２ＳＲ１の転送回路出力ＳＲｏｕｔは、論理回路５５の出力を介して、選択スイッチＳＷ１（ＳＷ２、ＳＷ３、ＳＷ４）の動作を制御することができる。なお、論理回路５５は、論理回路５５の出力を振幅レベルに増幅するバッファ機能の増幅回路と接続されている。タッチ検出走査部５２は、選択されたシフトレジスタ５２ＳＲが例えば高レベルの信号をｋ＋２番目の転送回路出力ＳＲｏｕｔ（ｋ＋２）としてｋ＋２番目の駆動部５３（ｋ＋２）に供給した場合に、この駆動部５３（ｋ＋２）は、ｋ＋２番目の駆動電極ブロックＢ（ｋ＋２）に属する複数の駆動電極ＣＯＭＬに駆動信号ＶｃｏｍＡＣを印加するようになっている。
【０１４４】
図３５に示すように、走査開始信号ＳＤＳＴが入力されると、走査開始信号ＳＤＳＴをトリガーとして、制御信号ＳＤＣＫ１に同期させて、シフトレジスタ５２ＳＲ１が転送回路出力ＳＲｏｕｔ１を高レベルとして出力する。論理回路５５は、駆動電極選択信号ＶＣＯＭＳＥＬが高レベルの場合に、タッチ用駆動信号ＶｃｏｍＡＣを駆動信号Ｖｃｏｍの波形Ｔｘ１として出力する。シフトレジスタ５２ＳＲ１が転送回路出力ＳＲｏｕｔ１を低レベルとして出力すると、転送回路出力ＳＲｏｕｔ１を受けて、シフトレジスタ５２ＳＲ２が空転送し、転送回路出力ＴＲＮ１を出力する。駆動部５３は、駆動電極選択信号ＶＣＯＭＳＥＬが低レベルの場合に、タッチ用駆動信号ＶｃｏｍＡＣを表示用駆動信号ＶｃｏｍＤＣに切り替え、駆動信号Ｖｃｏｍとして出力する。
【０１４５】
実施形態５に係る検出機能付き表示装置１は、第１の転送回路であるシフトレジスタ５２ＳＲ１と、第２の転送回路である５２ＳＲ２を備えている。第１の転送回路であるシフトレジスタ５２ＳＲ１は、論理回路５５を介して選択スイッチＳＷ１（ＳＷ２、ＳＷ３、ＳＷ４）を制御する転送回路である。第２の転送回路である５２ＳＲ２は、シフトレジスタ５２ＳＲ１へ転送回路出力を供給する。そして、制御信号ＳＤＣＫ２を伝送する制御信号線ＬＳＤＣＫ２を含まないので、図２０に示す幅ΔＷＣＫの半分程度だけ幅Ｗｔｘを抑制することができる。これにより、実施形態５に係る額縁領域Ｇｄは狭くすることができる。
【０１４６】
以上、いくつかの実施形態及び変形例を挙げて実施形態を説明したが、本実施形態はこれらの実施形態等には限定されず、種々の変形が可能である。
【０１４７】
また、上記の各実施形態及び変形例に係るタッチ検出機能付き表示装置１は、ＦＦＳ、ＩＰＳ等の各種モードの液晶を用いた液晶表示デバイス２０とタッチ検出デバイス３０とを一体化してタッチ検出機能付き表示デバイス１０とすることができる。図３６は、変形例に係るタッチ検出機能付き表示デバイスの概略断面構造を表す断面図である。これに代えて、図３６に示す変形例に係るタッチ検出機能付き表示デバイス１０は、ＴＮ（Twisted  Nematic：ツイステッドネマティック）、ＶＡ（Vertical  Alignment：垂直配向）、ＥＣＢ（Electrically  Controlled  Birefringence：電界制御複屈折）等の各種モードの液晶とタッチ検出デバイスとを一体化してもよい。
【０１４８】
図３６に示すように、対向基板３に駆動電極ＣＯＭＬがある場合、表示用配線ＬＤＣ及びタッチ用配線ＬＡＣ、若しくは配線ＬＣＣは、対向基板３に備えられるようにしてもよい。そして、配線ＬＣＣは、ＴＦＴ基板２１に対して垂直な方向において表示領域Ａｄの外側に位置する額縁領域Ｇｄに配設されている。
【０１４９】
また、上記各実施形態では、液晶表示デバイス２０と静電容量型のタッチ検出デバイス３０とを一体化した装置としたが、これに限定されるものではなく、これに代えて、例えば液晶表示デバイス２０と静電容量型のタッチ検出デバイス３０を装着した装置であってもよい。このような液晶表示デバイス２０と静電容量型のタッチ検出デバイス３０を装着した装置の場合、図８に示す画素基板２の駆動電極ＣＯＭＬを第１の駆動電極ＣＯＭＬとし、これに加えて、対向基板３における、ガラス基板３１の表面にも第２の駆動電極ＣＯＭＬを備えており、第１の駆動電極ＣＯＭＬと第２の駆動電極ＣＯＭＬとが電気的に接続されている。この場合でも、上述したような構成にすることにより、外部ノイズや、液晶表示デバイスから伝わるノイズ（上記各実施形態における内部ノイズに対応するもの）の影響を抑えつつタッチ検出を行うことができる。
【０１５０】
＜２．適用例＞
次に、図３７〜図４４を参照して、実施形態及び変形例で説明したタッチ検出機能付き表示装置１の適用例について説明する。図３７〜図４４は、本実施形態に係るタッチ検出機能付き表示装置を適用する電子機器の一例を示す図である。実施形態１、２、３及び４若しくはこれらの変形例に係るタッチ検出機能付き表示装置１は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、実施形態１、２、３及び４若しくはこれらの変形例に係るタッチ検出機能付き表示装置１は、外部から入力された映像信号あるいは内部で生成した映像信号を、画像あるいは映像として表示するあらゆる分野の電子機器に適用することが可能である。
【０１５１】
（適用例１）
図３７に示す電子機器は、実施形態１、２、３及び４若しくはこれらの変形例に係るタッチ検出機能付き表示装置１が適用されるテレビジョン装置である。このテレビジョン装置は、例えば、フロントパネル５１１及びフィルターガラス５１２を含む映像表示画面部５１０を有しており、この映像表示画面部５１０は、実施形態１、２、３及び変形例に係るタッチ検出機能付き表示装置である。
【０１５２】
（適用例２）
図３８及び図３９に示す電子機器は、実施形態１、２、３及び４若しくはこれらの変形例に係るタッチ検出機能付き表示装置１が適用されるデジタルカメラである。このデジタルカメラは、例えば、フラッシュ用の発光部５２１、表示部５２２、メニュースイッチ５２３及びシャッターボタン５２４を有しており、その表示部５２２は、実施形態１、２、３及び変形例に係るタッチ検出機能付き表示装置である。
【０１５３】
（適用例３）
図４０に示す電子機器は、実施形態１、２、３及び４若しくはこれらの変形例に係るタッチ検出機能付き表示装置１が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、実施形態１、２、３及び変形例に係るタッチ検出機能付き表示装置である。
【０１５４】
（適用例４）
図４１に示す電子機器は、実施形態１、２、３及び４若しくはこれらの変形例に係るタッチ検出機能付き表示装置１が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、実施形態１、２、３及び変形例に係るタッチ検出機能付き表示装置である。
【０１５５】
（適用例５）
図４２及び図４３に示す電子機器は、実施形態１、２、３及び４若しくはこれらの変形例に係るタッチ検出機能付き表示装置１が適用される携帯電話機である。図４２は携帯電話機を開いた状態での正面図である。図４３は携帯電話機を折りたたんだ状態での正面図である。当該携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。当該ディスプレイ５５４は、タッチ検出機能付き表示装置１が取り付けられている。
【０１５６】
（適用例６）
図４４に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、実施形態１、２、３及び４若しくはこれらの変形例に係るタッチ検出機能付き表示装置１である。
【０１５７】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったものは、又は、工程の追加、省略若しくは条件変更を行ったものも、本発明の要旨を備えている限り、本発明の範囲に含まれる。また、本実施形態において述べた態様によりもたらされる他の作用効果について本明細書記載から明らかなもの、又は当業者において適宜想到し得るものついては、当然に本発明によりもたらされるものと解される。
【符号の説明】
【０１５８】
１  タッチ検出機能付き表示装置
２  画素基板
３  対向基板
６  液晶層
１０  タッチ検出機能付き表示デバイス
１１  制御部
１２  ゲートドライバ
１３  ソースドライバ
１４  駆動電極ドライバ
２０  液晶表示デバイス
２１  ＴＦＴ基板
２２  画素電極
３０  タッチ検出デバイス
３１  ガラス基板
３２  カラーフィルタ
３５  偏光板
４０  タッチ検出部
４２  タッチ検出信号増幅部
４３  Ａ／Ｄ変換部
４４  信号処理部
４５  座標抽出部
４６  検出タイミング制御部
５１  走査制御部
５２  タッチ検出走査部
５２ＳＲ１、５２ＳＲ２  シフトレジスタ（転送回路）
５３  駆動部
５４  増幅回路
５５  論理回路
６１  高レベル電圧生成部
６１Ｓ  電圧制御部
６２  低レベル電圧生成部
６３、６４、６６  バッファ
６５  スイッチング回路
６５Ｅ  出力端子
ＶｃｏｍＡＣ  駆動信号
ＶｃｏｍＤＣ  表示用駆動電圧
ＣＯＭＬ  駆動電極
ＴＤＬ  タッチ検出電極
Ｖｃｏｍ  駆動信号
Ｖｄｅｔ  タッチ検出信号
【図１】
2015102980.tif 000003
【図２】
2015102980.tif 000004
【図３】
2015102980.tif 000005
【図４】
2015102980.tif 000006
【図５】
2015102980.tif 000007
【図６】
2015102980.tif 000008
【図７】
2015102980.tif 000009
【図８】
2015102980.tif 000010
【図９】
2015102980.tif 000011
【図１０】
2015102980.tif 000012
【図１１】
2015102980.tif 000013
【図１２】
2015102980.tif 000014
【図１３】
2015102980.tif 000015
【図１４】
2015102980.tif 000016
【図１５】
2015102980.tif 000017
【図１６】
2015102980.tif 000018
【図１７】
2015102980.tif 000019
【図１８】
2015102980.tif 000020
【図１９】
2015102980.tif 000021
【図２０】
2015102980.tif 000022
【図２１】
2015102980.tif 000023
【図２２】
2015102980.tif 000024
【図２３】
2015102980.tif 000025
【図２４】
2015102980.tif 000026
【図２５】
2015102980.tif 000027
【図２６】
2015102980.tif 000028
【図２７】
2015102980.tif 000029
【図２８】
2015102980.tif 000030
【図２９】
2015102980.tif 000031
【図３０】
2015102980.tif 000032
【図３１】
2015102980.tif 000033
【図３２】
2015102980.tif 000034
【図３３】
2015102980.tif 000035
【図３４】
2015102980.tif 000036
【図３５】
2015102980.tif 000037
【図３６】
2015102980.tif 000038
【図３７】
2015102980.tif 000039
【図３８】
2015102980.tif 000040
【図３９】
2015102980.tif 000041
【図４０】
2015102980.tif 000042
【図４１】
2015102980.tif 000043
【図４２】
2015102980.tif 000044
【図４３】
2015102980.tif 000045
【図４４】
2015102980.tif 000046